(57)【要約】【課題】ユーザの撮影画像を利用した新たなサービスを提供する。【解決手段】ユーザに情報を提供する管理サーバ（６）であって、理想状態の人の画像に関する情報を記憶する記憶部（４０２）と、ユーザの撮影画像を取得する情報取得部（４１９）と、該情報取得部が取得した撮影画像と、上記記憶部に記憶された理想状態の人の画像に関する情報とを用いて、上記ユーザの撮影画像が上記理想状態の人の画像に比べて、どの程度相違するかを算出する差異算出部（４１８）とを備える。【選択図】図１
2015185878.tif 000002
【特許請求の範囲】
【請求項１】
ユーザに情報を提供する情報提供装置であって、
理想状態の人の画像に関する情報を記憶する記憶部と、
ユーザの撮影画像を取得する取得手段と、
該取得手段が取得した撮影画像と、上記記憶部に記憶された理想状態の人の画像に関する情報とを用いて、上記ユーザの撮影画像が上記理想状態の人の画像に比べて、どの程度相違するかを算出する算出手段とを備えることを特徴とする情報提供装置。
【請求項２】
上記理想状態の人の画像に関する情報は、理想状態の人の各部位の配置および寸法の情報であり、
上記取得手段が取得した撮影画像から、上記ユーザの各部位の配置および寸法の情報を抽出する抽出手段をさらに備えており、
上記算出手段は、上記理想状態の人の各部位の配置および寸法に対する、上記ユーザの各部位の配置および寸法の差分を算出することを特徴とする請求項１に記載の情報提供装置。
【請求項３】
上記撮影画像における上記ユーザの部位の少なくとも１つを、上記理想状態の人の該当する部位に向けて移動させるように、上記取得手段が取得した撮影画像を変形する変形手段をさらに備えることを特徴とする請求項２に記載の情報提供装置。
【請求項４】
上記記憶部は、上記理想状態の人の画像に関する情報を、当該人の属性情報に関連づけて記憶しており、
上記取得手段は、さらに、ユーザの属性情報を取得しており、
上記算出手段は、さらに、上記取得手段が取得したユーザの属性情報と、上記記憶部における理想状態の人の属性情報とを比較することにより、上記理想状態になるためには、上記ユーザの属性情報をどの程度変更すればよいかを算出することを特徴とする請求項１から３のいずれか１項に記載の情報提供装置。
【請求項５】
上記算出手段が算出した、上記ユーザの属性情報の変更すべき程度に応じて、上記取得手段が取得した撮影画像を変形する変形手段をさらに備えることを特徴とする請求項４に記載の情報提供装置。
【請求項６】
上記取得手段は、上記ユーザの撮影画像および属性情報の複数の組合せを取得しており、
上記変形手段は、上記取得手段が取得した複数の上記組合せを利用して、上記取得手段が取得した撮影画像を変形することを特徴とする請求項５に記載の情報提供装置。
【請求項７】
上記取得手段は、上記ユーザの撮影画像および属性情報の組合せを、周期的に取得しており、
上記算出手段は、さらに、上記組合せを利用して、上記ユーザの属性情報が、上記人の理想状態の属性情報にどの程度まで近づいたかを示す達成度を算出することを特徴とする請求項３から６までの何れか１項に記載の情報提供装置。
【請求項８】
撮影編集装置が撮影し編集処理を施すことにより作成した編集画像をユーザから取得する取得手段と、
該取得手段が取得した編集画像に利用されている編集処理を推定する推定手段と、
該推定手段が推定した編集処理と一致または類似する編集処理であって、上記ユーザが利用しようとする撮影編集装置の編集処理を特定する特定手段と、
該特定手段が特定した編集処理を上記ユーザに提示する提示手段とを備えることを特徴とする画像分析システム。
【請求項９】
ユーザの端末装置および撮影編集装置と通信ネットワークを介して接続し、該端末装置にて表示可能なデータを提供するサーバであって、
上記撮影編集装置にて撮影され作成された画像の格納先を示すリンク情報を含む上記データを作成する作成手段を備えることを特徴とするサーバ。
【請求項１０】
ユーザの端末装置および撮影編集装置と通信ネットワークを介して接続し、該端末装置にて表示可能なデータを提供するサーバであって、
上記撮影編集装置にて撮影され作成された画像を特定可能な画像特定情報を含む上記データを作成する作成手段を備えており、
該作成手段は、上記画像特定情報によって特定される画像を上記ユーザが上記端末装置に保存することを当該端末装置から要求された場合、自サーバのサービス提供者が対価を得るような所定の条件を提示するための上記データを作成し、
上記所定の条件を満たした場合、当該画像を上記端末装置にて保存可能な上記データを作成することを特徴とするサーバ。
【請求項１１】
ユーザに情報を提供する情報提供装置の制御方法であって、
ユーザの撮影画像を取得する取得ステップと、
該取得ステップにて取得された撮影画像と、記憶部に記憶された理想状態の人の画像に関する情報とを用いて、上記ユーザの撮影画像が上記理想状態の人の画像に比べて、どの程度相違するかを算出する算出ステップとを含むことを特徴とする情報提供装置の制御方法。
【請求項１２】
撮影編集装置が撮影し編集処理を施すことにより作成した編集画像をユーザから取得する取得ステップと、
該取得ステップにて取得された編集画像に利用されている編集処理を推定する推定ステップと、
該推定ステップにて推定された編集処理と一致または類似する編集処理であって、上記ユーザが利用しようとする撮影編集装置の編集処理を特定する特定ステップと、
該特定ステップにて特定された編集処理を上記ユーザに提示する提示ステップとを含むことを特徴とする画像分析方法。
【請求項１３】
ユーザの端末装置および撮影編集装置と通信ネットワークを介して接続し、該端末装置にて表示可能なデータを提供するサーバの制御方法であって、
上記撮影編集装置にて撮影され作成された画像の格納先を示すリンク情報を含む上記データを作成する作成ステップを含むことを特徴とするサーバの制御方法。
【請求項１４】
ユーザの端末装置および撮影編集装置と通信ネットワークを介して接続し、該端末装置にて表示可能なデータを提供するサーバの制御方法であって、
上記撮影編集装置にて撮影され作成された画像を特定可能な画像特定情報を含む上記データを作成する作成ステップを含んでおり、
該作成ステップは、上記画像特定情報によって特定される画像を上記ユーザが上記端末装置に保存することを当該端末装置から要求された場合、自サーバのサービス提供者が対価を得るような所定の条件を提示するための上記データを作成し、
上記所定の条件を満たした場合、当該画像を上記端末装置にて保存可能な上記データを作成することを特徴とするサーバの制御方法。
【請求項１５】
請求項１から７の何れか１項に記載の情報提供装置としてコンピュータを機能させるための制御プログラムであって、コンピュータを上記各手段として機能させるための制御プログラム。
【請求項１６】
請求項８に記載の画像分析システムとしてコンピュータを機能させるための制御プログラムであって、コンピュータを上記各手段として機能させるための制御プログラム。
【請求項１７】
請求項９または１０に記載のサーバとしてコンピュータを機能させるための制御プログラムであって、コンピュータを上記各手段として機能させるための制御プログラム。
【請求項１８】
請求項１５から１７の何れか１項に記載の制御プログラムを記録したコンピュータ読み取り可能な記録媒体。
【発明の詳細な説明】
【技術分野】
【０００１】
本発明は情報提供装置、画像分析システム、およびサーバ等に関する。
【背景技術】
【０００２】
近年、写真シール作成装置において生成された画像をユーザに提供するサービスとして、上記画像の印刷されたプリントシールをユーザに提供するサービスと併せて、ユーザの所有する携帯端末に上記画像を表示させることによって上記画像をユーザに提供するサービスが広がってきている（例えば特許文献１参照）。
【先行技術文献】
【特許文献】
【０００３】
【特許文献１】特開２０１０−００９２５０号公報（２０１０年１月１４日公開）
【発明の概要】
【発明が解決しようとする課題】
【０００４】
ユーザ数の増加、ユーザによる利用回数の増加などを図るため、上記画像を利用した新たなサービスが日々検討されている。
【０００５】
本発明は、上記の問題点を鑑みてなされたものであり、その目的は、ユーザの撮影画像を利用した新たなサービスを提供できる情報提供装置などを提供することにある。
【課題を解決するための手段】
【０００６】
本発明に係る情報提供装置は、ユーザに情報を提供する情報提供装置であって、上記課題を解決するために、理想状態の人の画像に関する情報を記憶する記憶部と、ユーザの撮影画像を取得する取得手段と、該取得手段が取得した撮影画像と、上記記憶部に記憶された理想状態の人の画像に関する情報とを用いて、上記ユーザの撮影画像が上記理想状態の人の画像に比べて、どの程度相違するかを算出する算出手段とを備えることを特徴としている。
【０００７】
具体的には、本発明に係る情報提供装置では、上記理想状態の人の画像に関する情報は、理想状態の人の各部位の配置および寸法の情報であり、上記取得手段が取得した撮影画像から、上記ユーザの各部位の配置および寸法の情報を抽出する抽出手段をさらに備えており、上記算出手段は、上記理想状態の人の各部位の配置および寸法に対する、上記ユーザの各部位の配置および寸法の差分を算出すればよい。なお、上記各部位は、ユーザの全身における各部位であってもよいし、顔など、ユーザの一部分における各部位であってもよい。
【０００８】
また、本発明に係る情報提供装置の制御方法は、ユーザに情報を提供する情報提供装置の制御方法であって、上記課題を解決するために、ユーザの撮影画像を取得する取得ステップと、該取得ステップにて取得された撮影画像と、記憶部に記憶された理想状態の人の画像に関する情報とを用いて、上記ユーザの撮影画像が上記理想状態の人の画像に比べて、どの程度相違するかを算出する算出ステップとを含むことを特徴としている。
【０００９】
上記の構成および方法によれば、ユーザの撮影画像を取得し、取得した撮影画像が、理想状態の人の画像に比べて、どの程度相違するかを上記ユーザに提供することができる。その結果、ユーザの撮影画像を利用した新たなサービスを提供することができる。なお、上記情報提供装置は、上記ユーザを撮影することにより撮影画像を作成し、作成した撮影画像に編集処理を施すことにより編集画像を作成する撮影編集装置に設けられてもよいし、上記ユーザの端末装置および上記撮影編集装置と通信ネットワークを介して接続し、該端末装置にて表示可能なデータを提供するサーバに設けられてもよい。また、どの程度相違するかに代えて、どの程度類似するかを算出してもよい。
【００１０】
本発明に係る情報提供装置では、上記撮影画像における上記ユーザの部位の少なくとも１つを、上記理想状態の人の該当する部位に向けて移動させるように、上記取得手段が取得した撮影画像を変形する変形手段をさらに備えてもよい。
【００１１】
上記の構成によれば、ユーザの撮影画像を、理想状態の人の画像に近づけることができる。また、上記撮影画像の変形は、該撮影画像におけるユーザの部位を移動させることにより行われるので、変形後の画像には、ユーザの面影が残ることになる。
【００１２】
なお、上記ユーザの部位のうち、上記差分が最大値である部位を少なくとも移動させることが好ましい。また、上記移動の量が調節できてもよい。この場合、部位ごとに調節できてもよいし、上記差分に対する割合で各部位を調節できてもよい。後者の場合、上記撮影画像のより自然な変形が可能となる。
【００１３】
本発明に係る情報提供装置では、上記記憶部は、上記理想状態の人の画像に関する情報を、当該人の属性情報に関連づけて記憶しており、上記取得手段は、さらに、ユーザの属性情報を取得しており、上記算出手段は、さらに、上記取得手段が取得したユーザの属性情報と、上記記憶部における理想状態の人の属性情報とを比較することにより、上記理想状態になるためには、上記ユーザの属性情報をどの程度変更すればよいかを算出してもよい。
【００１４】
この場合、理想状態の人の属性情報と、ユーザの属性情報とを比較することにより、理想状態になるためには、ユーザの属性情報をどの程度変更すればよいかをユーザに提供することができる。これにより、ユーザは、理想状態に近づくために、属性情報をどの程度変更すればよいかを具体的に把握することができる。
【００１５】
ここで、属性情報の例としては、体重、身長、年齢、性別などが挙げられる。このうち、体重は、増減が可能であるが、身長は、大人になれば増減が少なくなり、年齢は、減少が不可能である。また、性別は変更が困難である。従って、本発明の属性情報としては体重が好ましい。
【００１６】
本発明に係る情報提供装置では、上記算出手段が算出した、上記ユーザの属性情報の変更すべき程度に応じて、上記取得手段が取得した撮影画像を変形する変形手段をさらに備えてもよい。この場合、上記変形画像が変形した画像を、理想状態に近づくために属性情報を変更した場合の上記ユーザの予測画像として、上記ユーザに提供することができる。
【００１７】
本発明に係る情報提供装置では、上記取得手段は、上記ユーザの撮影画像および属性情報の複数の組合せを取得しており、上記変形手段は、上記取得手段が取得した複数の上記組合せを利用して、上記取得手段が取得した撮影画像を変形してもよい。
【００１８】
この場合、上記ユーザの予測画像の精度を向上させることができる。なお、上記組合せは、定期的に取得することが好ましい。これを実現するには、例えば、上記ユーザの誕生月には、上記撮影編集装置の１回の利用料を無料にするなどの特典を上記ユーザに付与すればよい。
【００１９】
本発明に係る情報提供装置では、上記取得手段は、上記ユーザの撮影画像および属性情報の組合せを、周期的に取得しており、上記算出手段は、さらに、上記組合せを利用して、上記ユーザの属性情報が、上記人の理想状態の属性情報にどの程度まで近づいたかを示す達成度を算出してもよい。
【００２０】
この場合、上記達成度を上記ユーザに提示することにより、該ユーザが上記理想状態を目指す励みとなる。なお、上記ユーザに対し上記理想状態を目指すように促すために、上記達成度に応じて、上述のような特典を上記ユーザに付与することが好ましい。
【００２１】
ところで、雑誌、プリントシールなどに印刷された画像に含まれるスタンプ等の利用をユーザが所望する場合がある。
【００２２】
そこで、本発明に係る画像分析システムは、上記課題を解決するために、撮影編集装置が撮影し編集処理を施すことにより作成した編集画像をユーザから取得する取得手段と、該取得手段が取得した編集画像に利用されている編集処理を推定する推定手段と、該推定手段が推定した編集処理と一致または類似する編集処理であって、上記ユーザが利用しようとする撮影編集装置の編集処理を特定する特定手段と、該特定手段が特定した編集処理を上記ユーザに提示する提示手段とを備えることを特徴としている。
【００２３】
また、本発明に係る画像分析方法は、上記課題を解決するために、撮影編集装置が撮影し編集処理を施すことにより作成した編集画像をユーザから取得する取得ステップと、該取得ステップにて取得された編集画像に利用されている編集処理を推定する推定ステップと、該推定ステップにて推定された編集処理と一致または類似する編集処理であって、上記ユーザが利用しようとする撮影編集装置の編集処理を特定する特定ステップと、該特定ステップにて特定された編集処理を上記ユーザに提示する提示ステップとを含むことを特徴としている。
【００２４】
上記の構成および方法によれば、ユーザから編集画像を取得し、取得した編集画像に利用されている編集処理を推定し、推定した編集処理と一致または類似する編集処理であって、上記ユーザが利用しようとする撮影編集装置の編集処理を特定して、特定した編集処理を上記ユーザに提示する。従って、上記ユーザが、撮影編集装置を利用する場合に、或る編集画像に利用されている編集処理を所望するとき、当該編集画像を提供することにより、当該編集処理と一致または類似する上記撮影編集装置の編集処理を、ユーザに提示したり、利用できるように設定したりすることができる。その結果、ユーザが所望する編集処理を利用することができる。
【００２５】
ところで、特許文献１などのように、画像をユーザに提供するサービスにおいて、画像の閲覧は可能であるが、画像の保存は困難または不可能である場合がある。これは、端末装置に保存された画像は、容易に複製されて、他の端末装置に容易に送信できるため、上記画像が、意図しないサイトに拡散したり、上記画像の提供によって得られる利益が低減したりする虞があるためである。しかしながら、この場合、上記画像を上記端末装置に保存して、適時閲覧したり、ＳＮＳなどに投稿したりすることを希望するユーザにとっては利便性が低下することになる。
【００２６】
そこで、本発明に係るサーバは、ユーザの端末装置および撮影編集装置と通信ネットワークを介して接続し、該端末装置にて表示可能なデータを提供するサーバであって、上記課題を解決するために、上記撮影編集装置にて撮影され作成された画像を上記端末装置に保存することを当該端末装置から要求された場合、当該画像の格納先を示すリンク情報を含む上記データを作成する作成手段を備えることを特徴としている。
【００２７】
また、本発明に係るサーバの制御方法は、ユーザの端末装置および撮影編集装置と通信ネットワークを介して接続し、該端末装置にて表示可能なデータを提供するサーバの制御方法であって、上記課題を解決するために、上記撮影編集装置にて撮影され作成された画像を上記端末装置に保存することを当該端末装置から要求された場合、当該画像の格納先を示すリンク情報を含む上記データを作成する作成ステップを含むことを特徴としている。
【００２８】
上記の構成および方法によれば、端末装置には、撮影編集装置にて撮影され作成された画像が保存される代わりに、当該画像のリンク情報を含むデータが保存される。従って、当該データが、別の端末装置に送信されたとしても、当該画像を閲覧するには、当該データに含まれる上記リンク情報が示す格納先に要求して、当該画像を受信する必要がある。このとき、上記格納先のサーバは、上記要求元である上記端末装置のアドレスを取得できるので、当該データがどのように拡散するかを把握することができる。
【００２９】
また、本発明に係るサーバは、ユーザの端末装置および撮影編集装置と通信ネットワークを介して接続し、該端末装置にて表示可能なデータを提供するサーバであって、上記課題を解決するために、上記撮影編集装置にて撮影され作成された画像を特定可能な画像特定情報を含む上記データを作成する作成手段を備えており、該作成手段は、上記画像特定情報によって特定される画像を上記端末装置に保存することを当該端末装置から要求された場合、自サーバのサービス提供者が対価を得るような所定の条件を提示するための上記データを作成し、上記所定の条件を満たした場合、当該画像を上記端末装置にて保存可能な上記データを作成することを特徴としている。
【００３０】
また、本発明に係るサーバの制御方法は、ユーザの端末装置および撮影編集装置と通信ネットワークを介して接続し、該端末装置にて表示可能なデータを提供するサーバの制御方法であって、上記課題を解決するために、上記撮影編集装置にて撮影され作成された画像を特定可能な画像特定情報を含む上記データを作成する作成ステップを含んでおり、該作成ステップは、上記画像特定情報によって特定される画像を上記端末装置に保存することを当該端末装置から要求された場合、自サーバのサービス提供者が対価を得るような所定の条件を提示するための上記データを作成し、上記所定の条件を満たした場合、当該画像を上記端末装置にて保存可能な上記データを作成することを特徴としている。
【００３１】
ここで、サーバのサービス提供者が対価を得るような所定の条件の例としては、上記サービス提供者がサーバを介して提供するアンケートに答えること、所定の広告を表示すること、上記サービス提供者またはその関連業者が発行した雑誌を購読しなければ分からないようなクイズに正解すること、特定のＥＣ（Electronic Commerce）サイトにアクセスすること、などが挙げられる。
【００３２】
上記の構成および方法によれば、端末装置が、上記所定の条件を満たすことにより、撮影編集装置にて作成された画像を保存できるので、該保存による対価を上記サーバのサービス提供者が取得することができる。
【００３３】
本発明の各態様に係る情報提供装置、撮影編集装置、およびサーバは、コンピュータによって実現してもよく、この場合には、コンピュータを上記情報提供装置、上記撮影編集装置、および上記サーバがそれぞれ備える各手段として動作させることにより上記情報提供装置、上記撮影編集装置、および上記サーバをコンピュータにてそれぞれ実現させる情報提供装置、撮影編集装置、およびサーバの制御プログラム、およびそれを記録したコンピュータ読み取り可能な記録媒体も、本発明の範疇に入る。
【発明の効果】
【００３４】
以上のように、本発明に係る情報提供装置は、ユーザの撮影画像を取得し、取得した撮影画像が、理想状態の人の画像に比べて、どの程度相違するかを上記ユーザに提供できるので、ユーザの撮影画像を利用した新たなサービスを提供できるという効果を奏する。
【図面の簡単な説明】
【００３５】
【図１】本発明の第１実施形態に係る管理サーバの要部構成を示すブロック図である。
【図２】本発明の第１実施形態に係る撮影画像管理システムの構成を示す図である。
【図３】本発明の第１実施形態に係る写真シール作成装置の外観の構成例を示す斜視図である。
【図４】本発明の第１実施形態に係る写真シール作成装置の外観を他の角度からみた斜視図である。
【図５】本発明の第１実施形態におけるユーザの移動について説明する図である。
【図６】本発明の第１実施形態に係る写真シール作成装置に備えられる撮影部の構成例を示す図である。
【図７】本発明の第１実施形態に係る写真シール作成装置に備えられる背景部の構成例を示す図である。
【図８】本発明の第１実施形態に係る写真シール作成装置に備えられる編集部の構成例を示す図である。
【図９】本発明の第１実施形態に係る写真シール作成装置に備えられる事後接客部の構成例を示す図である。
【図１０】本発明の第１実施形態に係る写真シール作成装置の内部の構成例を示すブロック図である。
【図１１】本発明の第１実施形態に係る写真シール作成装置に備えられる制御部の詳細な構成例を示す機能ブロック図である。
【図１２】本発明の第１実施形態に係る携帯端末の要部構成を示すブロック図である。
【図１３】本発明の第１実施形態における会員登録処理時に携帯端末の表示部に表示されるウェブページの一例を示す画面遷移図である。
【図１４】本発明の第１実施形態における写真撮影から画像保存までの一連の処理の流れの一例を示すシーケンス図である。
【図１５】本発明の第１実施形態における管理サーバへの画像保存処理時に携帯端末の表示部に表示されるウェブページの一例を示す画面遷移図である。
【図１６】本発明の第１実施形態に係る撮影画像管理システムにおける携帯端末への画像保存に関する一連の処理の流れの一例を示すシーケンス図である。
【図１７】本発明の第１実施形態における携帯端末への画像保存処理時に携帯端末の表示部に表示されるウェブページの一例を示す画面遷移図である。
【図１８】本発明の第１実施形態において、ユーザが理想状態となるためのアドバイスの表示する処理の流れの一例を示すシーケンス図である。
【図１９】本発明の第２実施形態に係る写真シール作成装置に備えられる制御部および記憶部の詳細な構成例を示す機能ブロック図である。
【図２０】本発明の第２実施形態において、見本画像に用いられた編集ツールを提示する処理を示すフローチャートである。
【図２１】本発明の第３実施形態において、ユーザが閲覧を希望する画像を表示するためのウェブページのＵＲＬをユーザへ通知する処理の流れを示すシーケンス図である。
【図２２】本発明の第３実施形態において、ユーザが閲覧を希望する画像を表示するためのウェブページのＵＲＬをユーザへ通知する処理において携帯端末に表示されるウェブページの一例を示す図である。
【発明を実施するための形態】
【００３６】
〔実施形態１〕
本発明の第１実施形態について、図１〜図１７を参照して以下に説明する。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。さらに、各図面に記載した構成の形状、ならびに、長さ、大きさおよび幅などの寸法は、実際の形状および寸法を反映させたものではなく、図面の明瞭化と簡略化のために適宜変更している。
【００３７】
（撮影画像管理システム１０）
図２は、本発明の第１実施形態に係る撮影画像管理システム１０の構成を示す図である。図２に示すように、撮影画像管理システム１０は、写真シール作成装置（情報提供装置）１、携帯端末６、および管理サーバ４を備えている。
【００３８】
撮影画像管理システム１０の概要について、以下に説明する。撮影画像管理システム１０は、ユーザの写真撮影、画像の編集、画像の写真シールとしての印刷、および画像提供サイトへの画像の保存を実現するサービスをユーザに提供する。写真撮影、画像編集、および写真シール印刷のサービスは、ゲームセンターなどの店舗に設置された写真シール作成装置１によって提供される。画像保存のサービスは、画像提供サイトを管理する管理サーバ４によって提供される。ユーザは、自身が所持する携帯端末６を操作することによって、自身の撮影画像を画像提供サイトに保存することができる。
【００３９】
画像提供サイトへの画像の保存には、事前の会員登録が必要である。ユーザは、無料会員として自身を画像提供サイトに登録する。無料会員は、会費を支払う必要がないが、画像提供サイトは保存できる画像の枚数に制限を受ける。本実施形態では、無料会員は、一回のゲームごとに一枚の画像のみを画像提供サイトに保存できる。
【００４０】
ユーザは、自身の会員属性を、無料会員から有料会員に変更することができる。有料会員は、一定の会費を継続的に支払う必要がある代わりに、画像提供サイトに無制限に画像を保存できる。本実施形態では、一回の写真撮影によって生成された撮影画像を全て画像提供サイトに保存できる。
【００４１】
撮影画像管理システム１０における写真撮影から画像保存までの流れについて、以下に簡潔に説明する。一人または複数人のユーザは、代金を写真シール作成装置１に支払い、写真撮影および画像編集に関するゲームをプレイする。ユーザはゲーム中に自身を被写体として撮影する。ユーザは、撮影によって生成された画像の中から、編集対象の画像をいくつか選択し、好きなように編集する。また、ユーザは、後で画像を画像提供サイトに保存するために、写真シール作成装置１に自身のメールアドレスを入力する。
【００４２】
ゲームの終了後、ユーザは写真シールを手に入れる。一方、写真シール作成装置１は、生成した画像に、入力されたユーザのメールアドレスを関連付けて、管理サーバ４に送信する。管理サーバ４は、受信したメールアドレス宛に、受信した画像を画像提供サイトに保存することを案内するメールを送信する。ユーザは、自身の携帯端末６においてこのメールを受信する。メールには、画像を画像提供サイトに保存するための手順が、記載されている。ユーザは、その手順に従い、画像を保存するための操作を携帯端末６に対して行う。この結果、画像提供サイトにおけるユーザ専用の画像記憶領域に、画像が保存される。
【００４３】
画像提供サイトへの画像保存後、ユーザは、携帯端末６または所望の他の装置を用いて画像提供サイトにログインして、画像をダウンロードすることができる。
【００４４】
（写真シール作成装置の構成）
撮影画像管理システム１０を構成する各装置の構成および機能について、以下に詳細に説明する。まず、写真シール作成装置１の詳細について、図３〜図１１を参照して説明する。図３は、本発明の第１実施形態に係る写真シール作成装置１の外観の構成例を示す斜視図である。この図に示すように、写真シール作成装置１は、主に、撮影ユニット１１、編集部１２、および事後接客部１３を備えている。写真シール作成装置１は、撮影ユニット１１と編集部１２とが接し、かつ、編集部１２と事後接客部１３とが接した状態で設置される。
【００４５】
（撮影ユニット１１）
撮影ユニット１１は、撮影部２１および背景部２２を備えている。撮影部２１と背景部２２とは、所定の距離だけ離れて設置される。撮影部２１と背景部２２の間に形成される空間である撮影空間において、撮影制御が行われる。
【００４６】
撮影部２１は、撮影制御をユーザに行わせる装置である。撮影部２１は、撮影空間に入り、撮影制御を行っているユーザの正面に位置する。撮影空間を正面に望む面を構成する撮影部２１の正面パネル４１には、撮影制御時にユーザによって用いられるタッチパネルモニタなどが設けられる。撮影空間にいるユーザから見て左側の面を左側面、右側の面を右側面とすると、撮影部２１の左側面が側面パネル４２Ａによって構成され、右側面が側面パネル４２Ｂによって構成される。
【００４７】
背景部２２は、正面を向いて撮影制御を行っているユーザの背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図４）から構成される。
【００４８】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００４９】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００５０】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えばユーザによって選択された色のカーテンを下ろし、その他のカーテンを巻き取る。
【００５１】
背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けると共に、合成用の背景画像を複数種類用意し、後述する編集制御において、ユーザが所望する背景画像をカーテンの部分に合成することができるようにしてもよい。
【００５２】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００５３】
（編集部１２）
編集部１２は、撮影制御によって得られた画像を編集する処理である編集制御をユーザに行わせる装置である。編集部１２は、一方の側面が撮影部２１の正面パネル４１の背面に接するように撮影ユニット１１に連結して設けられる。編集部１２には、編集制御時にユーザによって用いられるタブレット内蔵モニタなどの構成が設けられる。
【００５４】
図３に示す編集部１２の構成を正面側の構成とすると、２組のユーザが同時に編集することができるように、編集部１２の正面側と背面側には編集制御に用いられる構成がそれぞれ設けられる。
【００５５】
編集部１２の正面側は、床面に対して垂直な面であり、側面パネル４２Ａとほぼ平行な面である面７１と、面７１の上方に形成された斜面７２から構成され、編集制御に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図４）が設けられる。
【００５６】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００５７】
カーテンレール２６には、編集部１２の正面前方の空間と背面前方の空間の内部が外から見えないようにカーテンが取り付けられる。カーテンレール２６に取り付けられたカーテンによって囲まれる編集部１２の正面前方の空間と背面前方の空間が、ユーザが編集制御を行う編集空間となる。
【００５８】
（事後接客部１３）
図４は、写真シール作成装置の外観を他の角度からみた斜視図である。事後接客部１３は事後接客を行い、ユーザに事後接客に対する操作を行わせる装置である。事後接客には、画像（編集済みの画像を含む）を管理サーバ４に送信する処理、ミニゲームをユーザに行わせる処理、アンケートに答えさせる処理などが含まれる。
【００５９】
図４に示すように、事後接客部１３は、所定の厚さを有する板状の筐体を有しており、その背面が編集部１２の左側面に接するように編集部１２に連結して設けられる。事後接客部１３の正面には、事後接客に対する操作時にユーザによって用いられるタブレット内蔵モニタ、および、画像（編集済みの画像を含む）が印刷されたシール紙が排出される排出口などが設けられる。事後接客部１３の正面前方の空間が、シール紙への印刷が終わるのを待っているユーザが事後接客に対する操作を行う事後接客空間となる。
【００６０】
（ユーザの移動）
写真シール作成ゲームの流れと、それに伴うユーザの移動について図５を参照して説明する。図５は、ユーザの移動について説明する図である。
【００６１】
写真シール作成装置１のユーザは、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラおよびタッチパネルモニタなどを利用して撮影制御を行う。
【００６２】
なお、ユーザの画像の撮影においては、すべての撮影がシール紙に印刷される画像を撮影するものとは限らず、携帯端末６に送信するため（又は、携帯端末６において閲覧可能なように、管理サーバ４に送信するため）にのみ撮影される場合もある。これは、印刷される画像と携帯端末６に送信される画像との間でユーザの嗜好が異なることがあるためであり、ユーザの撮影時において、携帯端末６への送信を意識した撮影をしたいユーザの意向にこたえるものである。
【００６３】
撮影制御を終えたユーザは、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００６４】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動したユーザは編集制御を開始する。編集空間Ａ２−１のユーザと、編集空間Ａ２−２のユーザは同時に編集制御を行うことができる。
【００６５】
編集制御が終了した後、画像（編集済みの画像を含む）の中から選択された画像の印刷が開始される。画像の印刷中、編集制御を終えたユーザは、編集空間Ａ２−１で編集制御を行っていた場合には白抜き矢印＃５で示すように編集空間Ａ２−１から事後接客空間Ａ３に移動して事後接客を受け、当該事後接客に対する操作を行う。また、編集制御を終えたユーザは、編集空間Ａ２−２で編集制御を行っていた場合には白抜き矢印＃６で示すように編集空間Ａ２−２から事後接客空間Ａ３に移動し、事後接客空間Ａ３において事後接客を受け、当該事後接客に対する操作を行う。
【００６６】
画像の印刷が終了したとき、ユーザは、事後接客部１３に設けられた排出口からシール紙を受け取り、一連の写真シール作成ゲームを終えることになる。
【００６７】
（各部材の構成）
次に、写真シール作成装置１に備えられる各部材の構成について説明する。
【００６８】
（撮影部２１）
図６は、写真シール作成装置１に備えられる撮影部２１の構成例を示す図である。撮影部２１は、正面パネル４１、側面パネル４２Ａ、および側面パネル４２Ｂが、箱状の形状を有するベース部４３に取り付けられることによって構成される。
【００６９】
正面パネル４１は撮影空間Ａ１で撮影制御を行うユーザの正面に位置し、側面パネル４２Ａと側面パネル４２Ｂは、それぞれ、撮影空間Ａ１で撮影制御を行うユーザの左側、右側に位置する。側面パネル４２Ａの上方には連結部２３Ａが固定され、側面パネル４２Ｂの上方には連結部２３Ｂが固定される。
【００７０】
正面パネル４１のほぼ中央には撮影・表示ユニット８１が設けられる。撮影・表示ユニット８１は、カメラ９１、正面ストロボ９２、およびタッチパネルモニタ９３から構成される。
【００７１】
カメラ９１は、ＣＣＤ（Charge Coupled Device）またはＣＭＯＳ（complementary metal-oxide semiconductor）などの撮像素子によって構成され、撮影空間Ａ１にいるユーザを撮影する。カメラ９１によって取り込まれた動画像は、タッチパネルモニタ９３にリアルタイムで表示される。ユーザによって撮影が指示されたときなどの所定のタイミングでカメラ９１によって取り込まれた画像は画像（静止画像）として保存される。
【００７２】
カメラ９１の下側に設けられたタッチパネルモニタ９３は、ＬＣＤ（Liquid Crystal Display）などのモニタと、それに積層されたタッチパネルによって構成される。タッチパネルモニタ９３は、カメラ９１によって取り込まれた動画像を表示するライブビューモニタとしての機能と、各種のＧＵＩ（Graphical User Interface）画像を表示し、ユーザの選択操作をタッチパネルによって受け付ける機能とを備えている。タッチパネルモニタ９３には、適宜、背景等の画像が合成された後の動画像が表示される。
【００７３】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００７４】
上ストロボ８２は、ユーザを上前方から照射する。左ストロボ８３は、ユーザを左前方から照射し、右ストロボ８４は、ユーザを右前方から照射する。下ストロボ８５は、ユーザを下前方から照射する。
【００７５】
ベース部４３にはユーザの足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。後述するように、各蛍光灯の発光量を調整することによって、または、発光させる蛍光灯の数を調整することによって、撮影空間Ａ１内の明るさが、ユーザが行っている撮影制御の内容に応じて適宜調整される。
【００７６】
足元ストロボ８６の右側には、ユーザがお金を投入する硬貨投入返却口８７が設けられる。
【００７７】
下ストロボ８５を挟んでベース部４３の上面の左右に形成されるスペース４３Ａおよび４３Ｂは、撮影制御を行うユーザが手荷物等を置くための荷物置場として用いられる。正面パネル４１の例えば天井付近には、撮影制御の案内音声、ＢＧＭ（Back Ground Music）、効果音等の音を出力するスピーカも設けられる。
【００７８】
（背景部２２）
図７は、写真シール作成装置１に備えられる背景部２２の構成例を示す図である。上述したように、背面パネル５１の上方には背景カーテンユニット２５が設けられる。背景カーテンユニット２５のほぼ中央には、撮影空間Ａ１内で撮影制御を行っているユーザを後方中央から照射する背面中央ストロボ１０１が取り付けられる。
【００７９】
背面パネル５１の上方であって、出入り口Ｇ１側の位置には、撮影空間Ａ１内で撮影制御を行っているユーザを左後方から照射する背面左ストロボ１０２が取り付けられる。また、背面パネル５１の上方であって、出入り口Ｇ２側の位置には、撮影空間Ａ１内で撮影制御を行っているユーザを右後方から照射する背面右ストロボ１０３が取り付けられる。
【００８０】
（編集部１２）
図８は、写真シール作成装置１に備えられる編集部１２の構成例を示す図である。この図に示すように、編集部１２において、斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００８１】
タブレット内蔵モニタ１３１は、タッチペン１３２Ａ及び１３２Ｂを用いて操作入力が可能なタブレットがＬＣＤなどのモニタに重畳して設けられることによって構成される。タブレット内蔵モニタ１３１には、例えば、編集対象画像として選択された画像の編集に用いられる画面である編集画面が表示される。２人で同時に編集作業を行う場合、タッチペン１３２Ａは一方のユーザによって用いられ、タッチペン１３２Ｂは他方のユーザによって用いられる。
【００８２】
なお、編集部１２において行われる画像の編集は、すべてが印刷される画像に対する編集であるとは限らず、ユーザが携帯端末６への送信のみを想定している画像（つまり、印刷されない画像）に対する編集である場合もある。これは、印刷される画像と携帯端末６へ送信されてｗｅｂ上で利用される画像との間で、ユーザの嗜好に違いがあり、例えばブログなどに利用する画像などに対して、印刷される画像に対する編集とは異なる編集をしたいというユーザの意向にこたえるためのものである。
【００８３】
（事後接客部１３）
編集部１２の左側には事後接客部１３が設けられる。図９は、写真シール作成装置１に備えられる事後接客部１３の構成例を示す図である。
【００８４】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがＬＣＤなどのモニタに重畳して設けられることによって構成される。タブレット内蔵モニタ１６１には、ミニゲームなどの事後接客の工程において用いられる画面が表示される。
【００８５】
タブレット内蔵モニタ１６１の下には非接触型ＩＣリーダ／ライタ１６３が設けられ、非接触型ＩＣリーダ／ライタ１６３の下にはシール紙排出口１６４が設けられる。シール紙排出口１６４の下にはスピーカ１６５が設けられる。
【００８６】
非接触型ＩＣリーダ／ライタ１６３は、近接された非接触型ＩＣと通信を行い、非接触型ＩＣからのデータの読み出しおよび非接触型ＩＣに対するデータの書き込みを行う。
【００８７】
シール紙排出口１６４には、編集空間Ａ２−１のユーザが編集制御を行うことによって作成した画像が印刷されたシール紙、または、編集空間Ａ２−２のユーザが編集制御を行うことによって作成した画像が印刷されたシール紙が排出される。編集部１２の内部にはプリンタが設けられており、画像の印刷がそのプリンタによって行われる。
【００８８】
スピーカ１６５は、事後接客時の案内音声、ＢＧＭ、効果音等の音を出力する。
【００８９】
（写真シール作成装置１の内部構成）
次に、写真シール作成装置１の内部構成について説明する。図１０は、写真シール作成装置１の内部の構成例を示すブロック図である。上述した構成と同じ構成には同じ符号を付す。重複する説明については適宜省略する。
【００９０】
制御部２０１は、ＣＰＵ（Central Processing Unit）などから構成され、ＲＯＭ（Read Only Memory）２０６または記憶部２０２に記憶されているプログラムを実行し、写真シール作成装置１の全体の動作を制御する。制御部２０１には、記憶部２０２、通信部２０３、ドライブ２０４、ＲＯＭ２０６、ＲＡＭ（Random Access Memory）２０７が接続される。制御部２０１には、撮影部２１、編集部１２、事後接客部１３、および印刷部２１１の各構成も接続される。
【００９１】
記憶部２０２は、ハードディスクまたはフラッシュメモリなどの不揮発性の記憶媒体からなり、制御部２０１から供給された各種の設定情報を記憶する。記憶部２０２に記憶されている情報は制御部２０１によって適宜読み出される。
【００９２】
通信部２０３はインターネットなどのネットワークのインタフェースであり、制御部２０１による制御に従って外部の装置と通信を行う。
【００９３】
ドライブ２０４には、光ディスクまたは半導体メモリなどよりなるリムーバブルメディア２０５が適宜装着される。ドライブ２０４によってリムーバブルメディア２０５から読み出されたコンピュータプログラムおよびデータは、制御部２０１に供給され、記憶部２０２に記憶されたり、インストールされたりする。
【００９４】
ＲＯＭ２０６には、制御部２０１において実行されるプログラムおよびデータが記憶されている。ＲＡＭ２０７は、制御部２０１が処理するデータおよびプログラムを一時的に記憶する。
【００９５】
撮影部２１は、撮影空間Ａ１におけるユーザの撮影制御に関する処理を行う。撮影部２１は、硬貨処理部２２１、背景制御部２２２、照明制御部２２３、カメラ９１、タッチパネルモニタ９３、およびスピーカ２２４から構成される。
【００９６】
硬貨処理部２２１は、硬貨投入返却口８７に対する硬貨の投入を検出する。硬貨処理部２２１は、例えば３００円などの所定の金額分の硬貨が投入されたことを検出した場合、そのことを表す起動信号を制御部２０１に出力する。
【００９７】
背景制御部２２２は、制御部２０１より供給される背景制御信号に従って背景カーテンユニット２５に収納されている背景カーテンの上げ下ろしを行う。背景カーテンの選択がユーザによって手動で行われるようにしてもよい。
【００９８】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１、背面左ストロボ１０２、背面右ストロボ１０３が設けられる。各ストロボの内部には蛍光灯も設けられる。
【００９９】
また、照明制御部２２３は、各ストロボの内部に設けられる蛍光灯の発光量を調整することによって、または、発光させる蛍光灯の数を調整することによって、ユーザが行っている撮影制御の段階に応じて撮影空間Ａ１内の明るさを調整する。
【０１００】
カメラ９１は、制御部２０１による制御に従って撮影を行い、撮影によって得られた画像（画像）を制御部２０１に出力する。
【０１０１】
編集部１２Ａは、編集空間Ａ２−１におけるユーザの編集制御に関する処理を行う。編集部１２Ａは、編集部１２の正面側に設けられるタブレット内蔵モニタ１３１、タッチペン１３２Ａ、１３２Ｂ、およびスピーカ２３１から構成される。編集部１２Ｂも編集部１２Ａと同一の構成を有しており、編集空間Ａ２−２におけるユーザの編集制御に関する処理を行う。
【０１０２】
タブレット内蔵モニタ１３１は、制御部２０１による制御に従って編集画面を表示し、編集画面に対するユーザの操作を検出する。ユーザの操作の内容を表す信号は制御部２０１に供給され、編集対象の画像の編集が行われる。
【０１０３】
事後接客部１３は、事後接客空間Ａ３における事後接客に関する処理を行う。事後接客部１３は、タブレット内蔵モニタ１６１、タッチペン１６２Ａ、１６２Ｂ、非接触型ＩＣリーダ／ライタ１６３、およびスピーカ１６５から構成される。
【０１０４】
印刷部２１１は、印刷制御を行う構成であるプリンタ２４１、およびシール紙ユニット２４２から構成される。プリンタ２４１は、画像、またはユーザによる編集制御によって得られた編集済みの画像を、プリンタ２４１に装着されたシール紙ユニット２４２に収納されているシール紙に印刷し、シール紙排出口１６４に排出する。一点鎖線で囲んで示す事後接客部１３と印刷部２１１が、事後接客空間Ａ３にいるユーザを相手とした事後接客に関する処理を行う構成となる。
【０１０５】
また、印刷部２１１は、印刷制御に係る処理において、シール紙への撮影画像（又は編集画像）の印刷に加え、欄外（シール紙の端部など）に、管理サーバ４へ送信した画像を取得するためのＵＲＬ（Uniform Resource Locater）、及び、シールＩＤ（画像取得用ＩＤ）などを印刷してもよい。シールＩＤとは、写真シール作成装置１において１ゲーム中に生成された１又は複数の画像（撮影画像および編集画像を含む）を一義的に特定するための識別子であり、ユーザが１ゲーム中に生成された画像を取得するための識別子である。ユーザは、画像を取得するためのＵＲＬにアクセスし、シールＩＤを入力することにより、写真シール作成装置１において１ゲーム中に生成された画像を取得するためのウェブページ（画像取得用ページ）を携帯端末６に表示させることができる。
【０１０６】
これは、例えば、事後接客部１３などにおいてユーザからメールアドレスの入力を受け付ける際に、タイムアウトやミス入力により正しいアドレスを受け付けることができず、画像を取得するためのＵＲＬなどの情報をユーザに送信することができないなど場合に、シール紙に印刷されているＵＲＬにアクセスしてシールＩＤを入力することによりユーザが画像を取得することができるようにするためである。
【０１０７】
なお、印刷部２１１は、画像を取得するための情報として、ＵＲＬではなく、例えば、所定のメールアドレス又はＱＲコード（登録商標）などを印刷してもよい。所定のメールアドレスが印刷されている場合には、ユーザは、当該所定のメールアドレスに空メールを送信することにより、画像を取得するためのＵＲＬが記載されたメールを管理サーバ４から受信することができる。また、シール紙にＱＲコードが印刷されている場合には、ユーザは、携帯端末６を用いてＱＲコードの示すウェブページへアクセスすることにより、画像取得用ページへ直接アクセスすることもできる。
【０１０８】
（制御部の構成）
図１１は、写真シール作成装置１に備えられる制御部２０１の詳細な構成例を示す機能ブロック図である。この図に示すように、制御部２０１は、通信制御部３１１、撮影制御部３１２、編集制御部３１３、印刷制御部３１４、および事後接客制御部３１５を備えている。
【０１０９】
通信制御部３１１は、通信部２０３による外部の装置との通信を制御する。
【０１１０】
撮影制御部３１２は、撮影部２１による、写真シール作成ゲームを開始する際に投入される代金に関する処理と、ユーザの撮影制御に従いユーザグループを撮影する等、写真シール作成ゲームにおけるユーザの撮影制御に関する処理とを制御する。撮影制御部３１２は、画像が撮影された日時に関する日時情報を生成することもできる。
【０１１１】
編集制御部３１３は、編集部１２Ａおよび編集部１２Ｂによる画像に対する落書き編集等、写真シール作成ゲームにおけるユーザの編集制御に関する処理を制御する。
【０１１２】
印刷制御部３１４は、印刷部２１１によるシール紙の印刷等、写真シール作成ゲームにおけるユーザの印刷制御に関する処理を制御する。
【０１１３】
事後接客制御部３１５は、事後接客部１３による、編集作業を終了したユーザグループを接客する処理等、写真シール作成ゲームにおける事後接客に関する処理を制御する。
【０１１４】
（管理サーバ４）
次に、管理サーバ４の詳細について、図１を参照して説明する。図１は、本発明の実施形態１に係る管理サーバ４の要部構成を示すブロック図である。この図に示すように、管理サーバ４は、主に、制御部４０１、記憶部４０２、および通信部４０３を備えている。制御部４０１は、管理サーバ４に備えられる各部材を統括制御する。記憶部４０２は、管理サーバ４において使用される各種データを記憶する。通信部４０３は、撮影画像管理システム１０を構成する他の装置と通信する。
【０１１５】
（制御部４０１の詳細）
図１に示すように、制御部４０１は、通信制御部４１１、メール作成部４１２、ウェブページ作成部４１３、画像管理部（抽出手段）４１４、理想状態管理部４１５、アドバイス作成部４１６、画像変形部（変形手段）４１７、差異算出部（算出手段）４１８、および情報取得部（取得手段）４１９を備えている。
【０１１６】
（通信制御部４１１）
通信制御部４１１は、通信部４０３による通信を制御する。
【０１１７】
（メール作成部４１２）
メール作成部４１２は、写真シール作成装置１で遊んだユーザのメールアドレス宛に送信されるメールを作成する。本実施形態では、メール作成部４１２は、メールデータベース４２１に格納されているデータを用いて、通信制御部４１１から入力されたメールアドレス宛に送信される、画像の保存を案内するメールを作成し、通信制御部４１１に出力する。
【０１１８】
（ウェブページ作成部４１３）
ウェブページ作成部４１３は、携帯端末６に表示されるウェブページを作成する。本実施形態では、ウェブページ作成部４１３は、ウェブページデータベース４２３に格納されているデータを用いて、携帯端末６から受信したアクセス要求に応じたウェブページを作成し、通信制御部４１１に出力する。詳細は後述するが、ウェブページ作成部４１３は、ユーザの会員種別に応じたウェブページを作成する。
【０１１９】
なお、以下において「ページ」は、例えば、ウェブページのように、管理サーバ４が携帯端末６等の通信端末に送信して表示するためのデータを意味する。上記ページには、通常、テキストデータおよび画像データが含まれており、さらに、音声データおよび動画データが含まれていてもよい。
【０１２０】
（画像管理部４１４）
画像管理部４１４は、画像提供サイトを通じてユーザに提供される画像を管理する。本実施形態では、画像管理部４１４は、写真シール作成装置１によって作成された画像のうち、ユーザによって指定された画像を画像データベース４２４に保存する。
【０１２１】
また、画像管理部４１４は、画像を画像データベース４２４に保存する場合、当該画像に撮影されている人の特徴の情報、例えば人の各部位の配置および寸法の情報を特徴情報４２７として画像データベース４２４へ保存する。画像管理部４１４は、特徴情報として特に、人の顔の各部位の配置および寸法の情報について画像データベース４２４へ保存する。
【０１２２】
（理想状態管理部４１５）
理想状態管理部４１５は、美しさ等の基準となる顔を含む顔画像である理想画像、理想画像の各部位の配置および寸法の情報などの理想状態の特徴情報、および理想画像と対応する化粧の情報、髪の色、体重などの理想状態の属性情報を理想状態データベース４２５へ保存する。理想画像は、例えば複数の人物の顔画像を合成して、平均的な顔を生成することによって得られる。一般的に、平均的な顔は、人に好印象を与えると言われる。または、理想画像として、左右の対称性のよい顔画像を用いてもよい。また、複数の人物の顔画像の特徴情報４２７に対し、統計処理を施して、上記顔画像の特徴情報の代表値（平均値、メジアン（中央値）、モード（最頻値）など）を算出し、これを理想状態の特徴情報としてもよい。また、一般的に理想の顔の配置を示す情報であるとされる黄金比マスクと呼ばれる配置情報を、理想状態の特徴情報として用いてもよい。
【０１２３】
（アドバイス作成部４１６）
アドバイス作成部４１６は、差異算出部４１８が算出した最新のユーザの特徴情報と理想状態の特徴情報との差異、およびユーザの属性情報と理想状態の属性情報との差異に基づいて、ユーザに対して理想状態へ近づくためのアドバイスを作成する。詳細は後述する。
【０１２４】
（画像変形部４１７）
画像変形部４１７は、画像データベース４２４に保存された画像のユーザが撮影されている部位を変形させ、会員データベース４２２に保存されている属性情報を基準として、撮像されているユーザの属性情報（例えば体重、年齢など）が変化した場合の予測画像を作成する。上記変形には、モーフィングなど、公知の技術を利用できる。
【０１２５】
（差異算出部４１８）
差異算出部４１８は、情報取得部４１９が取得したユーザの撮影画像、すなわち画像データベース４２４に保存されている画像に撮影されている人の撮影画像の特徴情報と理想状態の特徴情報とを用いて、ユーザの撮影画像が上記理想状態の人の画像に比べて、どの程度相違するかを算出する。
【０１２６】
また、差異算出部４１８は、ユーザの属性情報と理想状態の属性情報とを比較し、理想状態になるためには、ユーザの属性情報をどの程度変更すればよいかを算出する。具体的には、ユーザが自身の体重をどの程度変更すれば、理想状態となれるかを算出する。
【０１２７】
（情報取得部４１９）
情報取得部４１９は、会員データベース４２２、画像データベース４２４、および理想状態データベース４２５から各種情報を取得する。詳細については後述する。
【０１２８】
（記憶部４０２の詳細）
図１に示すように、記憶部４０２は、メールデータベース４２１、会員データベース４２２、ウェブページデータベース４２３、画像データベース４２４、および理想状態データベース４２５を有している。
【０１２９】
（メールデータベース４２１）
メールデータベース４２１は、ユーザに送信するメールを作成するための各種データを格納している。
【０１３０】
（会員データベース４２２）
会員データベース４２２は、画像提供サイトの会員であるユーザに関する各種情報を格納している。本実施形態では、会員データベース４２２には、写真シール作成装置１を利用するユーザを特定する情報（ユーザ特定情報）が、ユーザ別に格納されている。ユーザ特定情報としては、例えば、ユーザの会員ＩＤ、メールアドレス、ニックネーム、生年月日、住所、会員属性、入会日、および、ユーザが保有する携帯端末の端末ＩＤなどを挙げることができる。また、会員属性としては、例えば、有料会員および無料会員などを挙げることができる。
【０１３１】
また、会員データベース４２２は、ユーザごとに身長、体重、年齢などの情報を属性情報４２６として格納している。属性情報は、当該属性情報の登録日または当該属性情報が測定された日付と関連付けられて、ユーザごとに所定の数以上、会員データベース４２２へ格納されている。
【０１３２】
（ウェブページデータベース４２３）
ウェブページデータベース４２３は、携帯端末６に表示される画像提供サイトのウェブページを作成するための各種データを格納している。
【０１３３】
（画像データベース４２４）
画像データベース４２４は、写真シール作成装置１によって作成されたユーザの画像のうち、画像提供サイトに保存するようにユーザによって指示された画像を格納している。画像データベース４２４には、画像が、会員データベース４２２に会員として登録されているユーザごとに区別されて格納されている。
【０１３４】
図示はしないが、記憶部４０２は、写真シール作成装置１から受信した画像などのデータを一時的に保存する一時保存データベースも有している。
【０１３５】
（理想状態データベース４２５）
理想状態データベース４２５は、美しさ等の基準となる顔を含む顔画像である理想画像、理想画像の各部位の配置および寸法の情報などの理想状態の特徴情報、および理想画像と対応する体重、化粧の情報、髪の色などの理想状態の属性情報を格納している。
【０１３６】
（通信部４０３の詳細）
本実施形態では、写真シール作成装置１および携帯端末６が、通信部４０３の通信相手である。通信部４０３は、通信制御部４１１の制御を受けることによって、他の装置からデータを受信したり、他の装置にデータを送信したりする。
【０１３７】
（携帯端末６）
図１２は、本発明の実施形態１に係る携帯端末６の要部構成を示すブロック図である。この図に示すように、携帯端末６は、主に、制御部６０１、記憶部６０２、通信部６０３、入力部６０４、および表示部６０５を備えている。制御部６０１は、携帯端末６に備えられる各部材を統括制御する。記憶部６０２は、携帯端末６において使用される各種データを記憶する。携帯端末６は、撮影画像管理システム１０を構成する他の装置と通信する。入力部６０４は、タッチパネルなどの、ユーザが携帯端末６に情報を入力するための装置である。表示部６０５は、液晶表示装置などの、情報を表示するための装置である。
【０１３８】
（制御部６０１の詳細）
図１２に示すように、制御部６０１は、通信制御部６１１、入力制御部６１２、および表示制御部６１３を備えている。
【０１３９】
通信制御部６１１は、通信部６０３による通信を制御する。入力制御部６１２は、入力部６０４における情報入力を制御する。表示制御部６１３は、表示部６０５における情報表示を制御する。たとえば、通信制御部６１１から入力されたウェブページを表示制御部６１３が表示部６０５に出力することによって、当該ウェブページを表示部６０５に表示させることができる。
【０１４０】
（会員登録処理）
撮影画像管理システム１０では、画像提供サイトに会員登録したユーザが、撮影画像を画像提供サイトに保存することができる。ユーザは、所定の手順に従い自身を画像提供サイトに無料会員として登録する。その手順について、図１３を参照して以下に説明する。図１３は、会員登録処理時に携帯端末６の表示部６０５に表示されるウェブページの一例を示す画面遷移図である。
【０１４１】
ユーザは、画像提供サイトに会員登録するために、携帯端末６を用いて画像提供サイトにアクセスする。この結果、図１３の（ａ）に示すような画像提供サイトのトップページ１００１が、携帯端末６の表示部６０５に表示される。トップページ１００１は、会員ログイン処理を進めるためのリンク画像１００２、および無料会員登録処理を進めるためのリンク画像１００３を少なくとも含む。
【０１４２】
ユーザは、携帯端末６の入力部６０４を操作することによって、無料会員登録を進めるためのリンク画像１００３を選択する。この結果、携帯端末６は、管理サーバ４と通信し、結果として、図１３の（ｂ）に示すような、無料会員登録用のウェブページ１０１１を表示部６０５に表示する。
【０１４３】
ウェブページ１０１１は、無料会員登録されるユーザを特定する情報（ユーザ特定情報）を入力するための入力フォーム１０１２、および、入力されたユーザ特定情報を管理サーバ４に送信するためのリンク画像１０１３を少なくとも含む。ユーザは、携帯端末６の入力部６０４を操作することによって、ユーザの会員ＩＤ、パスワード、およびメールアドレスなどの各種の個人情報を、ユーザ特定情報として入力フォーム１０１２に入力する。ユーザは、ユーザ特定情報の入力完了後、リンク画像１０１３を選択する。これにより携帯端末６は、ユーザ特定情報を管理サーバ４に送信すると共に、ユーザの無料会員登録を管理サーバ４に要求する。
【０１４４】
管理サーバ４の通信制御部４１１は、携帯端末６から送信されたユーザ特定情報を通信部４０３を通じて受信する。通信制御部４１１は、受信したユーザ特定情報をメール作成部４１２に出力すると共に、会員登録用メールの作成をメール作成部４１２に指示する。この指示を受けて、メール作成部４１２は、図１３の（ｃ）に示すような会員登録用メール１０２１を作成する。会員登録用メール１０２１は、受信したユーザ特定情報に含まれるメールアドレス宛のメールであり、無料会員登録の完了を示すウェブページへのＵＲＬ１０２２を含んでいる。メール作成部４１２は、作成した会員登録用メール１０２１を通信制御部４１１に出力する。通信制御部４１１は、入力された会員登録用メール１０２１を、通信部４０３を介してユーザのメールアドレス宛に送信する。
【０１４５】
携帯端末６は、送信された会員登録用メール１０２１を受信し、表示部６０５に表示する。ユーザは、表示された会員登録用メール１０２１を確認し、ＵＲＬ１０２２を選択する。これにより携帯端末６は、ＵＲＬ１０２２によって特定されるウェブページを、管理サーバ４に要求する。
【０１４６】
この要求を受けて、管理サーバ４は、無料会員登録を完了させる。具体的には、管理サーバ４が、会員データベース４２２にユーザ用のアカウント領域（会員固有のデータを保存する記憶領域）を作成し、当該アカウント領域に、ユーザ特定情報を保存する。このとき、ユーザが無料会員であることを表す情報を、アカウント領域に追加する。最後に、管理サーバ４は、無料会員登録が完了したことを示すウェブページを作成し、携帯端末６に送信する。
【０１４７】
なお、ユーザは、無料会員の登録後、会員ＩＤ及びパスワードを入力することにより画像提供サイトにログインし、所定の手続きを踏むことによって、自身を有料会員として画像提供サイトに登録することができる。この登録完了後、ユーザのアカウント領域には、ユーザが有料会員であることを表す情報が追加される。
【０１４８】
（サービスの流れ）
次に、撮影画像管理システム１０によって提供されるサービスの流れの詳細について、図１４および図１５を参照して以下に説明する。図１４は、撮影画像管理システム１０における写真撮影から画像保存までの一連の処理の流れの一例を示すシーケンス図である。
【０１４９】
（写真撮影）
図１４に示すように、ユーザは、写真シール作成装置１においてゲームのプレイを開始する（ステップＳ１）。具体的には、ユーザは、写真シール作成装置１の正面パネル４１の前に立ち、ゲームのプレイに必要な料金の硬貨を、硬貨投入返却口８７に投入する。撮影制御部３１２は、所定の金額分の硬貨が投入されたか否かを、硬貨処理部２２１から供給される信号に基づいて判定する。
【０１５０】
投入されたと判定した場合、撮影制御部３１２は、撮影部２１を制御し、カメラ９１に取り込まれた被写体の動画像をタッチパネルモニタ９３にライブビュー表示させ、ユーザによる撮影制御に従って、撮影空間Ａ１にいるユーザを被写体として撮影する（ステップＳ２）。この撮影制御は撮影処理時間内に複数回行われる。
【０１５１】
なお、撮影制御における処理として、シール紙への印刷用の画像の撮影ではなく、携帯端末６への送信用の画像の撮影として、所定の回数の撮影を行うこともある。この場合には、携帯端末６への送信用の画像に適した画像として、合成用画像をクロマキ合成した画像、及び、色フィルターによるフィルタリング処理などの画像処理を施した画像を、撮影時に作成することもある。
【０１５２】
写真撮影の終了後、撮影制御部３１２は、撮影空間Ａ１にいるユーザに対して、編集空間Ａ２−１または編集空間Ａ２−２への移動を案内する。この案内は、案内画面を撮影部２１のタッチパネルモニタ９３に表示させることによって、または、音声案内をスピーカ２２４から出力させることによって、行われる。
【０１５３】
（画像編集）
案内の終了後、編集制御部３１３は、編集空間Ａ２−１と編集空間Ａ２−２のうち、撮影制御を終えたユーザの移動先とした方の編集空間に対応する編集部１２を制御することによって、編集部１２に画像を編集させる（ステップＳ３）。具体的には、編集制御部３１３は、編集対象画像として選択または取得された画像に合成するための合成用画像をユーザに選択させ、選択された合成用画像を画像に合成させ、得られた合成画像を、ユーザによる編集操作に従って編集する。また、携帯端末６への送信用の画像に対する編集として、例えば、画像を所定のサイズにトリミングする処理、色フィルターによるフィルタリング処理、及び、複数の画像を一つの画像として仕上げるコラージュ合成処理などの処理を行うこともできる。
【０１５４】
編集の終了後、編集制御部３１３は、編集空間Ａ２−１または編集空間Ａ２−２において編集制御を終えたユーザに、事後接客空間Ａ３への移動を案内する。この案内は、案内画面をタブレット内蔵モニタ１３１に表示させることによって、または、案内音声をスピーカ２３１から出力させることによって、行われる。
【０１５５】
（写真シール印刷）
案内の終了後、印刷制御部３１４は、ユーザによって選択された画像をプリンタ２４１に出力してシール紙に印刷させる（ステップＳ４）。印刷が終了すると、事後接客制御部３１５は、印刷が終了した旨をタブレット内蔵モニタ１６１に表示させ、プリンタ２４１は、管理サーバ４及び写真シール作成装置１から同じ手順で画像を取得可能なように、写真シール作成装置１において作成されたシールＩＤおよび、画像取得情報（画像取得サイトのＵＲＬ、または、取得のためのメールアドレスなど）が欄外に印刷され、また、所定の画像が中央部に印刷されたシール紙をシール紙排出口１６４に排出する。
【０１５６】
（事後接客）
印刷中、事後接客制御部３１５は、事後接客部１３を制御し、印刷終了待機中のユーザに対する事後接客に関する処理を制御する（ステップＳ５）。具体的には、事後接客制御部３１５は、事後接客部１３による事後接客に関する処理として、写真シール作成ゲームにおいて画像（編集済みの画像を含む）を管理サーバ４に送信するための処理を制御する。その際、事後接客制御部３１５は、ゲームをプレイしたユーザのメールアドレスを入力するためのメールアドレスの入力画面、および、送信する画像の選択画面をタブレット内蔵モニタ１６１に表示させる。ユーザは、タッチペン１６２Ａまたはタッチペン１６２Ｂを用いることによって、現在用いているメールアドレスを入力すると共に、管理サーバ４に送信したい画像を選択する。
【０１５７】
（画像送信）
通信制御部３１１は、入力されたメールアドレスおよび選択された画像もしくは制御部２０１が送信対象と決定した画像を、通信部２０３を通じて管理サーバ４に送信する（ステップＳ６）。このとき送信される画像には、当該画像を一義的に特定するための識別子（画像ＩＤ）が関連付けられている。写真シール作成装置１から送信されたメールアドレス、画像、および画像ＩＤを、管理サーバ４の通信部４０３が受信し（ステップＳ７）、通信制御部４１１に出力する。通信制御部４１１は、受信した画像を、記憶部４０２の図示しない一時保存データベースに保存する。保存された画像などのデータは、規定の期限が経過するまで一時保存データベースに格納され続け、期限が経過すると自動的に一時保存データベースから削除される。
【０１５８】
なお、通信制御部３１１は、管理サーバ４に対し、ユーザが選択した所定の枚数の画像だけではなく、ユーザが将来有料会員になる場合を考慮して、すべての画像を送信してもよい。これにより、ユーザは、無料会員の状態で撮影したあと、サイト上で有料会員になった場合に、無料会員の状態で撮影したすべての画像を取得することができる。
【０１５９】
（案内メールの作成および送信）
通信制御部４１１は、受信したメールアドレスおよび画像ＩＤをメール作成部４１２に出力する。メール作成部４１２は、通信制御部４１１から受け取ったメールアドレス宛に送信される、画像の保存をユーザに案内する案内メールを作成する。その手順は次の通りである。メール作成部４１２は、画像ＩＤをウェブページ作成部４１３に出力すると共に、当該画像ＩＤによって特定される画像を保存するためのウェブページを示すＵＲＬ１１０２の生成を、ウェブページ作成部４１３に要求する。ウェブページ作成部４１３は、要求されたＵＲＬ１１０２を生成し、メール作成部４１２に出力する。
【０１６０】
メール作成部４１２は、案内メールを作成するためのデータをメールデータベース４２１から取得する。そして、当該データ、ＵＲＬ１１０２、およびユーザのメールアドレスを用いて、図１５の（ａ）に示す案内メール１１０１を作成する。案内メール１１０１の本文中には、ＵＲＬ１１０２が記載されている。メール作成部４１２は、作成した案内メール１１０１を通信制御部４１１に出力する。通信制御部４１１は、通信部４０３を介して、ユーザのメールアドレス宛に案内メール１１０１を送信する（ステップＳ８）。
【０１６１】
なお、メール作成部４１２は、画像ＩＤとその画像ＩＤにかかわる画像とをまとめるウェブページではなく、シールＩＤをユーザに入力してもらうだけのウェブページを示すＵＲＬを含む案内メールを送信してもよい。この場合には、管理サーバ４は、案内メールに含まれるＵＲＬの示すウェブページ上において、携帯端末６からシール紙の欄外に印刷されたシールＩＤの入力を受け付け、当該管理サーバ４に送信されている画像を表示するようにしてもよい。
【０１６２】
（画像保存用ウェブページの要求および送信）
携帯端末６の通信部６０３は、送信された案内メール１１０１を受信し（ステップＳ９）、通信制御部６１１に出力する。通信制御部６１１は、入力された案内メール１１０１を表示制御部６１３に出力する。表示制御部６１３は、入力された案内メール１１０１を表示部６０５に出力する。ユーザは、表示部６０５に表示された案内メール１１０１を確認し、画像提供サイトに画像を保存するために、入力部６０４を用いてＵＲＬ１１０２を選択する（ステップＳ１０）。
【０１６３】
入力制御部６１２は、入力部６０４における選択入力を受け付け、ＵＲＬ１１０２が選択されたことを通信制御部６１１に通知する。これを受けて通信制御部６１１は、選択されたＵＲＬ１１０２に対応するウェブページを、管理サーバ４に要求する。具体的な手順は次の通りである。通信制御部６１１は、記憶部６０２に格納されているユーザの会員ＩＤを取得し、この会員ＩＤを含みかつウェブページの提供を求める所定のリクエストを、通信部６０３を通じて管理サーバ４に送信する。
【０１６４】
通信制御部４１１は、送信されたリクエストを通信部４０３を通じて受信し（ステップＳ１１）、ウェブページ作成部４１３に出力する。ウェブページ作成部４１３は、リクエストに含まれる会員ＩＤを会員データベース４２２に照会することによって、ユーザの会員種別を判定する（ステップＳ１２）。本実施形態では、ウェブページ作成部４１３は、ユーザが無料会員および有料会員のいずれであるかを判定し、判定結果に応じたウェブページを作成する。ウェブページ作成部４１３は、ユーザが無料会員であると判定した場合には、図１５（ｂ）に示すような、無料会員が画像を保存するためのウェブページ１１０３を作成する。一方、ユーザが有料会員であると判定した場合には、図１５（ｃ）に示すような、有料会員が画像を保存するためのウェブページ１１０７を作成する。
【０１６５】
図１５（ｂ）に示すように、ウェブページ１１０３は、一つのサムネイル画像１１０４、ユーザに有料会員の登録を促すリンク画像１１０５、および、画像提供サイトに画像を一枚保存するためのリンク画像１１０６を含んでいる。ユーザが無料会員である場合には保存できる画像が一枚であるため、サムネイル画像１１０４は、その一枚の画像のサムネイルである。なお、当該一枚の画像とは、写真シール作成装置１においてユーザにより選択された画像である。一方、画像が複数枚ある場合、サムネイル画像１１０４は、これら複数の画像のいずれかのサムネイルである。
【０１６６】
図１５（ｃ）に示すように、ウェブページ１１０７は、一つのサムネイル画像１１０４、および、全ての画像を保存するためのリンク画像１１０８を含んでいる。
【０１６７】
本例では、ユーザは無料会員であるので、ウェブページ作成部４１３は、無料会員用のウェブページ１１０３を作成する。ウェブページ作成部４１３は、作成したウェブページ１１０３を通信制御部４１１に出力する。通信制御部４１１は、入力されたウェブページ１１０３を、通信部４０３を通じて携帯端末６に送信する（ステップＳ１３）。
【０１６８】
（画像保存）
携帯端末６は、通信部６０３を通じてウェブページ１１０３を受信する（ステップＳ１４）。ウェブページ１１０３は、通信制御部６１１を介して表示制御部６１３に出力される。表示制御部６１３は、入力されたウェブページ１１０３を表示部６０５に出力する。ユーザは、表示部６０５に表示されたウェブページ１１０３を確認する。ユーザが無料会員である場合、画像が複数枚あったとしても、画像提供サイトに保存できるのは、それらのうちのいずれか一枚である。ユーザは、一枚の画像を保存したい場合、入力部６０４を通じてリンク画像１１０６を選択する。なお、当該保存したい画像は、写真シール作成装置１において携帯端末６へ送信する画像として選択した画像に限られず、例えば、画像提供サイトにアクセスしている携帯端末６において保存対象の画像として指定された画像であってもよい。
【０１６９】
入力制御部６１２は、入力部６０４における選択入力を受け付け、リンク画像１１０６が選択されたことを通信制御部６１１に通知する。これを受けて、通信制御部６１１は、画像保存の指示を管理サーバ４に送信する（ステップＳ１５）。
【０１７０】
送信された保存指示を、通信制御部４１１が通信部４０３を通じて受信する（ステップＳ１６）。これにより通信制御部４１１は、画像の保存を画像管理部４１４に指示する。画像管理部４１４は、この指示を受けて、一時保存データベースに格納されているユーザの画像を、ユーザの会員ＩＤに関連付けて画像データベース４２４に保存する（ステップＳ１７）。その際、画像が一枚なら、その画像を保存する。一方、画像が複数枚なら、そのうちのいずれか一つ（たとえばサムネイル画像１１０４に対応する画像）を保存する。また、画像管理部４１４は、保存した画像に撮影されている人の特徴を抽出し、ユーザの会員ＩＤと対応付けて特徴情報４２７として画像データベース４２４へ保存する。これにより、図１４に示す一連の処理は完了する。
【０１７１】
なお、無料会員であるユーザは、全ての画像を保存したい場合、リンク画像１１０５を選択する。この場合、有料会員登録のための一連の処理が撮影画像管理システム１０において行われる。そして登録が完了すると、全ての画像がユーザの会員ＩＤに関連付けられて画像データベース４２４に保存される。
【０１７２】
また、ユーザが有料会員である場合の保存処理は、本質的には上述した無料会員の場合の保存処理と同じである。ただし、ユーザは、ウェブページ１１０７に含まれるリンク画像１１０８を選択する。これにより管理サーバ４は、画像データベース４２４におけるユーザの画像記憶領域に、全ての画像を保存する。なお、ユーザによる保存する画像（無料会員であれば１枚の画像、有料会員であれば全ての画像）の選択は、写真シール作成装置１において受け付けられていてもよい。この場合には、画像管理部４１４は、写真シール作成装置１において選択されている画像を画像データベース４２４に保存すればよい。
【０１７３】
（携帯端末６への画像保存）
以下に、画像提供サイトに保存された画像をユーザの携帯端末６に保存する際の処理の流れについて、図１６および図１７を参照して説明する。図１６は、撮影画像管理システム１０における携帯端末６への画像保存に関する一連の処理の流れの一例を示すシーケンス図である。図１７の（ａ）〜（ｃ）は、携帯端末６への画像保存処理時に携帯端末６の表示部６０５に表示されるウェブページの一例を示す画面遷移図である。
【０１７４】
ユーザは、画像提供サイトにログインするために、画像提供サイトにアクセスする。その結果、図１７（ａ）に示すような画像提供サイトのトップページ１００１が、携帯端末６の表示部６０５に表示される。ユーザは、携帯端末６の入力部６０４を操作することによって、画像提供サイトへの会員ログイン処理を進めるためのリンク画像１００２を選択する。入力制御部６１２はこの選択操作を受け付けて、リンク画像１００２が選択されたことを通信制御部６１１に通知する。これにより通信制御部６１１は、ユーザの会員ＩＤおよびパスワードを記憶部６０２から読み出し、通信部６０３を通じて管理サーバ４に送信すると共に、画像提供サイトへのログインを管理サーバ４に要求する（ステップＳ２１）。なお、通信制御部６１１は、リンク画像１００２が選択された場合に、ユーザの会員ＩＤおよびパスワードを入力するためのウェブページを取得してもよい。この場合には、管理サーバ４は、ウェブページにおいて会員ＩＤおよびパスワードの入力を受け付ければよい。
【０１７５】
管理サーバ４の通信制御部４１１は、この要求を、通信部４０３を通じて受け付ける（ステップＳ２２）。次に通信制御部４１１は、受信した会員ＩＤおよびパスワードをウェブページ作成部４１３に出力すると共に、会員トップページ１０３１の作成をウェブページ作成部４１３に指示する。
【０１７６】
ウェブページ作成部４１３は、入力された会員ＩＤおよびパスワードを会員データベース４２２と照合することによって、ユーザが画像提供サイトに会員として登録されているか否かを判定する。登録されていると判定した場合、ウェブページデータベース４２３から、会員トップページ１０３１を生成するためのデータを取得する。ウェブページ作成部４１３は、当該データを用いて、図１７（ｂ）に示すような会員トップページ１０３１を生成し、通信制御部４１１に出力する。会員トップページ１０３１は、画像提供サイトに保存されているユーザの画像の一覧を表示するためのリンク画像１０３２、およびユーザが理想状態となるためのアドバイスを表示するためのリンク画像１０３３を含んでいる。通信制御部４１１は、通信部４０３を通じて会員トップページ１０３１を携帯端末６に送信する（ステップＳ２３）。
【０１７７】
携帯端末６の通信制御部６１１は、通信部６０３を通じて、会員トップページ１０３１を受信する。通信制御部６１１は、受信した会員トップページ１０３１を表示制御部６１３に出力する。表示制御部６１３は、会員トップページ１０３１を表示部６０５に出力する。結果、表示部６０５に会員トップページ１０３１が表示される（ステップＳ２４）。
【０１７８】
ユーザが、携帯端末６の入力部６０４を操作することによって、ユーザの画像の一覧を表示するためのリンク画像１０３２を選択した場合（ステップＳ２５）、入力制御部６１２が、この選択操作を受け付けて、リンク画像１０３２が選択されたことを通信制御部６１１に通知する。これにより通信制御部６１１は、画像提供サイトに保存されているユーザの画像の一覧を含むウェブページの提供を求めるリクエストを、通信部６０３を通じて管理サーバ４に送信する。
【０１７９】
管理サーバ４の通信制御部４１１は、送信されたリクエストを、通信部４０３を通じて受け付ける（ステップＳ２６）。次に通信制御部４１１は、画像データベース４２４に保存されているユーザの画像の一覧を含む画像一覧ページ１０４１の生成を、ウェブページ作成部４１３に指示する。
【０１８０】
ウェブページ作成部４１３は、画像一覧ページ１０４１を生成するためのデータを、ウェブページデータベース４２３から取得する。ウェブページ作成部４１３は、データを用いると共に、画像データベース４２４に保存されているユーザの全画像を参照することによって、図１７（ｃ）に示すような画像一覧ページ１０４１を生成し、通信制御部４１１に出力する。画像一覧ページ１０４１は、画像データベース４２４に保存されているユーザの全画像を個別に表す、複数のサムネイル画像１０４２を含んでいる。通信制御部４１１は、通信部４０３を通じて画像一覧ページ１０４１を携帯端末６に送信する（ステップＳ２７）。
【０１８１】
携帯端末６の通信制御部６１１は、通信部６０３を通じて画像一覧ページ１０４１を受信する。通信制御部６１１は、受信した画像一覧ページ１０４１を表示制御部６１３に出力する。表示制御部６１３は、画像一覧ページ１０４１を表示部６０５に出力する。結果、表示部６０５に画像一覧ページ１０４１が表示される（ステップＳ２８）。
【０１８２】
ユーザは、携帯端末６の入力部６０４を操作することによって、表示中のサムネイル画像１０４２のうち、携帯端末６に保存したい画像に対応するサムネイル画像１０４２を選択する（ステップＳ２９）。入力制御部６１２は、この選択操作を受け付けて、サムネイル画像１０４２が選択されたことを通信制御部６１１に通知する。これにより通信制御部６１１は、選択されたサムネイル画像１０４２に対応する画像の提供を求めるリクエストを、通信部６０３を通じて管理サーバ４に送信する。
【０１８３】
管理サーバ４の通信制御部４１１は、通信部４０３を通じて、送信されたリクエストを受信する（ステップＳ３０）。次に通信制御部４１１は、携帯端末６から提供を求められたユーザの画像を通信制御部４１１に出力するように、画像管理部４１４に指示する。
【０１８４】
画像管理部４１４は、指示された画像を画像データベース４２４から取得し、通信制御部４１１に出力する。通信制御部４１１は、通信部４０３を通じて、入力された画像を携帯端末６に送信する（ステップＳ３１）。
【０１８５】
携帯端末６の通信制御部６１１は、通信部６０３を通じて、送信された画像を受信し、記憶部６０２に保存する（ステップＳ３２）。以上により、携帯端末６への画像保存処理が完了する。
【０１８６】
なお、上述の説明では、携帯端末６が画像提供サイトへログインすることにより画像を取得する構成を例に挙げて説明したが、本実施形態では、シールＩＤを用いて画像を取得することもできる。例えば、携帯端末６は、シール紙に印刷されているＵＲＬ（又は、案内メールに含まれるＵＲＬ）の示すウェブページにアクセスすると共に、ユーザによるシールＩＤの入力操作を受け付けることにより、画像取得用ページにアクセスする。
【０１８７】
このとき、画像取得用ページは、ユーザが有料会員である場合にはシールＩＤにより特定される画像であって１ゲーム中に生成された全ての画像をユーザが選択可能に一覧表示し、ユーザが無料会員である場合にシールＩＤにより特定される全画像のうち１枚の画像のみをユーザが選択可能に一覧表示してもよい。また、画像取得用ページは、ユーザが無料会員である場合には、写真シール作成装置１において予め選択されている１枚の画像のみを表示してもよい。なお、画像取得用ページには、編集画像のみが一覧表示されることが好ましいが、例えば、編集画像の生成されていない撮影画像が存在する場合には編集画像と編集画像の生成されていない撮影画像とを一覧表示してもよいし、編集画像および撮影画像の全てを一覧表示してもよいし、特に限定されるものではない。
【０１８８】
携帯端末６は、画像取得用ページにおいて一覧表示されている画像のうち、ユーザにより選択された画像を管理サーバ４から取得し、記憶部６０２に保存する。なお、ユーザが有料会員である場合には、携帯端末６は、画像取得用ページにおいて一覧表示されている画像に対するユーザの選択操作を受け付けることなく、一覧表示されている全ての画像を管理サーバ４から取得し、記憶部６０２に保存してもよい。
【０１８９】
（ユーザが理想状態となるためのアドバイスの表示）
以下に、画像提供サイトに保存された画像をユーザの携帯端末６に保存する際の処理の流れについて、図１７および図１８を参照して説明する。図１８は、ユーザが理想状態となるためのアドバイスを表示する処理の流れの一例を示すシーケンス図である。図１７の（ｄ）は、ユーザが理想状態となるためのアドバイスを表示するウェブページの一例を示す図である。なお、上述の処理と同じ処理については、同一の符号を付し、説明を省略する。
【０１９０】
表示部６０５に会員トップページ１０３１が表示された（ステップＳ２４）後に、ユーザが、携帯端末６の入力部６０４を操作することによって、ユーザが理想状態となるためのアドバイスを表示するためのリンク画像１０３３を選択した場合（ステップＳ２５Ａ）、入力制御部６１２が、この選択操作を受け付けて、リンク画像１０３３が選択されたことを通信制御部６１１に通知する。これにより通信制御部６１１は、ユーザが理想状態となるためのアドバイスを表示するウェブページの提供を求めるリクエストを、通信部６０３を通じて管理サーバ４に送信する。
【０１９１】
管理サーバ４の通信制御部４１１は、送信されたリクエストを、通信部４０３を通じて受け付ける（ステップＳ２６Ａ）。次に通信制御部４１１は、携帯端末６から提供を求められたユーザが理想状態となるためのアドバイスを表示するウェブページを通信制御部４１１に出力するように、ウェブページ作成部４１３に指示する。指示を受けたウェブページ作成部４１３は、アドバイス作成部４１６へユーザが理想状態となるためのアドバイスを作成するように指示する。指示を受けたアドバイス作成部４１６は、差異算出部４１８へ最新のユーザの特徴情報と理想状態の特徴情報との差異、およびユーザの属性情報と理想状態の属性情報との差異を出力するように指示する。
【０１９２】
指示を受けた差異算出部４１８は、情報取得部４１９を介して、画像データベース４２４および理想状態データベース４２５それぞれから、最新のユーザの特徴情報および理想状態の特徴情報を取得する（ステップＳ２７Ａ）。差異算出部４１８は、最新のユーザの特徴情報および理想状態の特徴情報を比較することによって、特徴情報の差異を算出する（ステップＳ２８Ａ）。
【０１９３】
続いて、差異算出部４１８は、情報取得部４１９を介して、会員データベース４２２および理想状態データベース４２５それぞれから、ユーザの属性情報と理想状態の属性情報を取得する（ステップＳ２９Ａ）。差異算出部４１８は、ユーザの属性情報と理想状態の属性情報とを比較し、理想状態になるためには、ユーザの属性情報をどの程度変更すればよいか、を算出する（ステップＳ３０Ａ）。差異算出部４１８は、算出された特徴情報の差異およびユーザの属性情報をどの程度変更すればよいかを示す情報（以下、変更示唆情報と称する。）をアドバイス作成部４１６へ出力する。
【０１９４】
続いて、アドバイス作成部４１６は、差異算出部４１８から出力された各情報を含むアドバイスを作成する（ステップＳ３１Ａ）。例えば、特徴情報の差異を示す情報を含むアドバイスとして、図１７の（ｄ）に示すアドバイス１０５２のような、特徴情報の差異の程度を示す達成度を含む文字列をアドバイス作成部４１６は作成する。例えば、ユーザの特徴情報と理想状態の特徴情報との差分を部位ごとに算出し、各部位の差分の合計値が小さいほど、達成度を高くする。上記達成度の具体例としては、差分の合計値を、０〜１の範囲で正規化し、正規化した合計値を１から減算して、百分率で表したものなどが挙げられる。
【０１９５】
また、例えば、アドバイス作成部４１６は、変更示唆情報を含むアドバイスとして、図１７の（ｄ）に示すアドバイス１０５３のような、体重を何ｋｇ減らすと理想状態となることが予測されるかを示す文字列を作成する。また、アドバイス作成部４１６は、ユーザの属性情報を過剰に変更すると理想状態から乖離することを示すアドバイスとして、図１７の（ｄ）に示すアドバイス１０５５を作成するような、体重を何ｋｇ減らすと理想状態と乖離することが予測されるかを示す文字列を作成してもよい。
【０１９６】
アドバイス作成部４１６は、画像変形部４１７へ、変更示唆情報に示す通りに、ユーザの属性情報が変更された場合の予測画像を作成するように指示をする。画像変形部４１７は、情報取得部４１９を介して画像データベースから最新のユーザの画像を取得し、予測画像を作成する（ステップＳ３２Ａ）。例えば、変更示唆情報が、体重を５ｋｇ減らすことであった場合は、体重が５ｋｇ減った場合のユーザの予測画像を、画像変形部４１７は作成する。画像変形部４１７は、作成した予測画像をアドバイス作成部４１６へ出力する。アドバイス作成部４１６はさらに、画像変形部４１７へ、ユーザの属性情報を過剰に変更した場合の予測画像、例えば過剰に体重が減った場合のユーザの予測画像を作成させてもよい。アドバイス作成部４１６は、ウェブページ作成部４１３へ、作成されたアドバイスおよび予測画像をウェブページ作成部４１３へ出力する。
【０１９７】
ウェブページ作成部４１３は、出力されたアドバイスおよび予測画像を含むアドバイスページ１０５１を作成する。アドバイスページ１０５１には、例えば、アドバイス１０５２、１０５３、および１０５５、ならびに変更示唆情報に示す通りに属性情報が変更された場合を示す予測画像１０５４および過剰に属性情報が変更された場合を示す予測画像１０５６が含まれる。ウェブページ作成部４１３は、作成されたアドバイスページ１０５１を、通信制御部４１１を通じて携帯端末６に送信する（ステップＳ３３Ａ）。
【０１９８】
携帯端末６の通信制御部６１１は、通信部６０３を通じてアドバイスページ１０５１を受信する。通信制御部６１１は、受信したアドバイスページ１０５１を、表示制御部６１３を通じて、画像一覧ページ１０４１を表示部６０５に出力させる。（ステップＳ３４Ａ）。
【０１９９】
上記の構成によれば、ユーザの撮影画像を取得し、取得した撮影画像が、理想状態の人の画像に比べて、どの程度相違するかを上記ユーザに提供することができる。
【０２００】
また、上記の構成によれば、理想状態の人の属性情報と、ユーザの属性情報とを比較することにより、理想状態になるためには、ユーザの属性情報をどの程度変更すればよいかをユーザに提供することができる。これにより、ユーザは、理想状態に近づくために、属性情報をどの程度変更すればよいかを具体的に把握することができる。
【０２０１】
また、上記の構成によれば、達成度をユーザに提示することにより、ユーザが理想状態を目指す励みとなる。
【０２０２】
〔変形例〕
上記実施形態においては、携帯端末６においてユーザが理想状態となるためのアドバイスを表示する構成について説明したが、ユーザが理想状態となるためのアドバイスを表示する構成はこれに限られない。例えば、写真シール作成装置１において、ユーザが写真撮影を行った場合に、撮影された画像からユーザの特徴情報を抽出し、写真シール作成装置１へ記憶している理想状態の特徴情報と比較した結果をユーザへ通知するように写真シール作成装置１を構成してもよい。この構成によれば、ユーザは、写真シール作成装置１において撮影した時点において、ユーザ自身と理想状態との差を把握することができる。
【０２０３】
また、上記実施形態における図１８のステップＳ３２Ａに示す処理において、画像変形部４１７は、情報取得部４１９を介して、画像データベース４２４から、ログインを受け付けたユーザの複数の画像を取得し、取得した複数の画像に基づいて予測画像を作成してもよい。
【０２０４】
上記の構成によれば、ユーザの予測画像の精度を向上させることができる。
【０２０５】
また、さらに、会員に対して一定期間ごとに（周期的に）写真シール作成装置１において、画像を作成し、当該画像および属性情報の組合せを管理サーバ４へ保存することを推奨するメールを送信するように管理サーバ４を構成してもよい。例えば、管理サーバ４は、会員の誕生月に、写真シール作成装置１においてゲームをプレイするためのクーポンを当該会員のメールアドレスへ送信してもよい。これにより、画像変形部４１７は、期間を開けて撮影されたユーザの画像および属性情報の複数の組合せに基づいて、予測画像を作成することができる。よって、予測画像の精度をより向上させることができる。
【０２０６】
また、さらに、アドバイスページ１０５１に、所定の期間後に変更示唆情報に従ったユーザの属性情報を達成することを推奨する文字列および所定の期間後の予測画像を含めるように管理サーバ４を構成してもよい。具体的には、例えば、変更示唆情報が体重を５ｋｇ減らすことであった場合、５か月後までに体重を５ｋｇ減らすことを推奨する文字列と５か月後に体重が５ｋｇ減った場合の予測画像をアドバイスページ１０５１に含めて、撮影画像管理システム１０は携帯端末６へ表示させる。
【０２０７】
上記の構成によれば、ユーザは変更示唆情報に従ってユーザの属性情報を変更するために期間を要する場合であっても、達成した時点における予測画像を把握することができる。
【０２０８】
また、このように、ユーザに対し、体型を理想状態に近づけようとする動機付けを行うことができるので、上述の新たなサービスは、遊興だけでなく、フィットネス、エステティークなどにおいても効果的である。
【０２０９】
また、上記実施形態において、達成度に応じてユーザへ特典を提供するように撮影画像管理システム１０を構成してもよい。例えば、所定の期間内に、達成度が所定の値以上、向上したユーザに対して、写真シール作成装置１においてゲームをプレイするためのクーポンを発行するように撮影画像管理システム１０を構成してもよい。
【０２１０】
また、上記実施形態では、撮影画像の顔と理想画像の顔との差分に基づいて、上記評価値を算出しているが、編集画像の顔と理想画像の顔との差分に基づいて、上記評価値を算出してもよい。
【０２１１】
上記評価値が低い場合、モデルの撮影画像と、該撮影画像に対し編集処理を行った編集画像とをサンプルとして写真シール作成装置１に表示してもよい。さらに、ユーザの撮影画像に対し上記編集処理を行った編集画像を写真シール作成装置１に表示してもよい。この場合、上記編集処理で、どの程度までモデルに近づけるか（美人になれるか）を提示することができる。また、モデルに近づく（美人になる）ための化粧の参考にすることができる。
【０２１２】
一方、上記評価値が高い場合、上記ユーザを上記モデルとして勧誘する画面を写真シール作成装置１に表示してもよい。
【０２１３】
なお、写真シール作成装置１は、管理サーバ４上で人気のある画像をダウンロードして、利用前のデモンストレーション、印刷待ちなどにおいて表示してもよい。上記利用前のデモンストレーションにおいて上記人気のある画像を表示すると、当該写真シール作成装置１において撮影および編集を行う動機付けとなる。また、上記印刷待ちにおいて上記人気のある画像を表示すると当該人気のある画像に近い画像を作成するために、写真シール作成装置１を再び利用する動機付けとなる。
【０２１４】
また、写真シール作成装置１は、管理サーバ４上で人気のある画像の背景等の各種設定情報をダウンロードして、当該設定情報が示す設定でユーザが利用するコースを設けてもよい。この場合、ユーザが各種の設定を行う手間を省くことができ、利用時間を短縮することができる。また、当該コースでは、上記人気のある画像の人物への成り切りの度合いを判定したり、上記人気のある画像における撮影を忠実に再現している度合いを判定したりしてもよい。また、編集処理を上記人気のある画像の編集処理と同様とすることにより、写真撮影のみで上記人気のある画像に対するユーザの画像の評価が決定することになる。
【０２１５】
なお、上記人気のある画像の例としては、「いいね」が多い画像、すなわち、多数のユーザが支持する画像が挙げられる。また、写真シール作成装置１がダウンロードする人気のある画像は、同じ機種で作成されたものであることが好ましいが、異なる機種で作成されたものであってもよい。この場合、上記異なる機種を利用する動機付けとなる。また、上記ダウンロードの代わりに、写真シール作成装置１にて作成した画像を閲覧可能である旨をユーザの携帯端末６に送信するための電子メールに、上記人気のある画像であって、同じ機種で作成された画像を、お勧め画像として、当該画像へのリンク情報を含めてもよい。
【０２１６】
〔実施形態２〕
本発明の他の実施形態について、図１９および図２０に基づいて説明すれば、以下のとおりである。なお、説明の便宜上、上記実施形態にて説明した部材と同じ機能を有する部材については、同じ符号を付記し、その説明を省略する。
【０２１７】
まず、本実施形態に係る写真シール作成装置（画像分析システム）１に含まれる制御部２０１Ａおよび記憶部２０２Ａと、実施形態１に係る写真シール作成装置１に含まれる制御部２０１および記憶部２０２との差異を図１９に基づいて説明する。図１９は本実施形態に係る写真シール作成装置１に備えられる制御部２０１Ａおよび記憶部２０２Ａの詳細な構成例を示す機能ブロック図である。
【０２１８】
制御部２０１Ａは、制御部２０１と比べて、編集制御部３１３に替えて編集制御部（提示手段）３１３Ａを備え、かつ、見本画像取得部（取得手段）３１６および編集ツール特定部（推定手段、特定手段）３１７をさらに備える点が異なる。
【０２１９】
（編集制御部３１３Ａ）
編集制御部３１３Ａは、図１４のステップＳ３に示す処理において、記憶部２０２Ａから取得した画像に対して所定の編集処理を行うプログラム（以下、編集ツールと称する。）を示す情報である編集ツール情報３１８をユーザに提示し、ユーザが指定した編集ツールに基づいて編集を行う点が異なる。
【０２２０】
（見本画像取得部３１６）
見本画像取得部３１６は、図１４のステップＳ３に示す処理において、撮影された画像を編集するための見本となる画像（以下、見本画像と称する。）を取得する。具体的には、例えばユーザによって提示された印刷物であって、写真シール作成装置１（撮影編集装置）によって作成された画像の印刷物を、カメラ９１を用いて撮影することによって取得する。また、見本画像取得部３１６は、見本画像の候補をタブレット内蔵モニタ１３１へ表示させ、ユーザが選択した見本画像を取得してもよい。
【０２２１】
（編集ツール特定部３１７）
編集ツール特定部３１７は、見本画像取得部３１６が取得した見本画像に用いられた編集ツールを推定し、推定した編集ツールと一致する編集ツールを、編集ツール情報３１８から特定する。編集ツール特定部３１７は、推定した編集ツールと一致する編集ツールが特定できなかった場合、推定した編集ツールと類似する処理を行う編集ツールを、編集ツール情報３１８から特定する。
【０２２２】
また、編集ツール特定部３１７は、特定した編集ツールをユーザへ提示する。
【０２２３】
記憶部２０２Ａは、記憶部２０２と、編集ツールを示す情報である編集ツール情報３１８を含む点が異なる。なお、編集ツール情報３１８は、管理サーバ４から写真シール作成装置１が取得するように撮影画像管理システム１０を構成してもよい。
【０２２４】
（編集ツールの提示）
本実施形態おいて、図１４のステップＳ３に含まれる見本画像に用いられた編集ツールを提示する処理について、図２０に基づいて説明する。図２０は、見本画像に用いられた編集ツールを提示する処理を示すフローチャートである。
【０２２５】
まず、見本画像取得部３１６は、見本画像を取得する（Ｓ４１）。見本画像取得部３１６は、取得した見本画像を編集ツール特定部３１７へ出力する。
【０２２６】
編集ツール特定部３１７は、見本画像に対して用いられた編集ツールを推定し、推定した編集ツールと一致または類似する編集ツールを、編集ツール情報３１８から検索する（Ｓ４２）。編集ツール特定部３１７は、特定された編集ツールをユーザへ提示する（Ｓ４３）。ユーザへの編集ツールの提示はタブレット内蔵モニタ１６１に当該編集ツールを示すアイコンを表示することによって行われてもよい。
【０２２７】
上記の処理により、写真シール作成装置１を利用するユーザが、或る見本画像に利用されている編集ツールを所望する場合、見本画像を写真シール作成装置１に提供することにより、当該編集処理と一致または類似する写真シール作成装置１の編集ツールを、ユーザに提示したり、利用できるように設定したりすることができる。その結果、ユーザが所望する編集ツールを利用することができる。
【０２２８】
〔変形例〕
上記実施形態においては、写真シール作成装置１のみによって、見本画像に用いられた編集ツールを提示する構成について説明したが、見本画像に用いられた編集ツールを提示する構成は上記の構成に限られない。例えば、携帯端末６を用いてユーザが撮影した画像を見本画像として、見本画像取得部３１６が取得するように撮影画像管理システム１０を構成してもよい。
【０２２９】
また、図２０に示す処理を携帯端末６において実行するように構成してもよい。より具体的には、携帯端末６が取得した画像を見本画像として、携帯端末６において実行されるソフトウェアによって、撮影された画像の編集に用いられた写真シール作成装置の機種および編集ツールを特定し、提示してもよい。
【０２３０】
上記の構成によれば、ユーザは、他のユーザが作成した写真シールの画像を、ネットワークや携帯端末６の備えるカメラを介して取得することによって、取得された画像に用いられた編集ツールを把握することができる。よって、ユーザ自身が作成した写真シールの画像ではなくとも、当該画像に用いられた編集ツールおよび当該編集ツールを利用することのできる写真シール作成装置の機種をユーザは把握することができる。
【０２３１】
また、図２０に示す処理を管理サーバ４において実行するように構成してもよい。より具体的には、写真シール作成装置１が取得した見本画像を管理サーバ４に送信することにより、管理サーバ４は、上記見本画像を作成した写真シール作成装置の機種と、上記見本画像に用いられた編集ツールとを推定し、写真シール作成装置１に送信してもよい。
【０２３２】
また、ユーザのお気に入りの人（モデル、友達など）を管理サーバ４予め登録しておき、登録された人の画像に利用されているスタンプ等の編集処理用ツールを、上記ユーザが利用中の写真シール作成装置１にて利用可能としたり、反映したり、ユーザに推奨したりしてもよい。このとき、写真シール作成装置１にて上記ユーザを認証してから行うことが好ましい。また、上記登録された人の画像を、管理サーバ４から写真シール作成装置１にダウンロードして、写真シール作成装置１における操作のデモンストレーションにて表示してもよい。
【０２３３】
〔実施形態３〕
本発明のさらに他の実施形態について、図２１および図２２に基づいて説明する。図２１は、ユーザが閲覧を希望する画像を表示するためのウェブページ（以下、閲覧ページと称する。）のＵＲＬをユーザへ通知する処理の流れを示すシーケンス図である。また、図２２の（ａ）（ｂ）は、閲覧ページのＵＲＬをユーザへ通知する処理において携帯端末６（端末装置）に表示されるウェブページの一例を示す図である。
【０２３４】
ステップＳ３０に示す処理において、ユーザに選択されたサムネイル画像１０４２に対応する画像の提供を求めるリクエストを受信した管理サーバ（サーバ）４の通信制御部４１１は、広告ページを作成するようにウェブページ作成部４１３へ指示する。ウェブページ作成部（作成手段）４１３は、ウェブページデータベース４２３に格納されているデータを用いて広告ページ１０６１を作成する。
【０２３５】
ここで、広告ページ１０６１は、特定のＥＣサイトやアンケートを行うページなどの当該ウェブページへユーザがアクセスすることによって、管理サーバ４のサービス提供者が対価を得ることのできるウェブページである。また、広告ページ１０６１は、上記サービス提供者またはその関連業者が発行した雑誌を購読しなければ分からないようなクイズに正解することにより表示されるものであってもよい。また、広告ページ１０６１は、閲覧ページのＵＲＬを表示するためのリンク画像１０６２を含んでいる。ウェブページ作成部４１３は作成した広告ページ１０６１を通信制御部４１１へ出力する。通信制御部４１１は、広告ページ１０６１を、通信部４０３を通じて携帯端末６へ送信する（ステップＳ３１Ｂ）。
【０２３６】
携帯端末６の通信制御部６１１は、通信部６０３を通じて、送信された広告ページ１０６１を受信する。携帯端末６の通信制御部６１１は、表示制御部６１３を通じて、表示部６０５に受信した広告ページ１０６１を表示させる（ステップＳ３２Ｂ）。
【０２３７】
ユーザが、携帯端末６の入力部６０４を操作することによって、リンク画像１０６２を選択した場合（ステップＳ３３Ｂ）、入力制御部６１２が、この選択操作を受け付けて、リンク画像１０６２が選択されたことを通信制御部６１１に通知する。これにより通信制御部６１１は、閲覧ページのＵＲＬを含むウェブページの提供を求めるリクエストを、通信部６０３を通じて管理サーバ４に送信する。
【０２３８】
管理サーバ４の通信制御部４１１は、送信されたリクエストを、通信部４０３を通じて受け付ける（ステップＳ３４Ｂ）。次に通信制御部４１１は、閲覧ページのＵＲＬを含むウェブページを、作成するように指示する。
【０２３９】
ウェブページ作成部４１３は、画像データベース４２４からサムネイル画像１０４２と対応する画像を閲覧するためのウェブページを作成し、当該ウェブページのＵＲＬ１０７２を取得する。ウェブページ作成部４１３は、取得したＵＲＬ１０７２を含む画像ＵＲＬページ１０７１を作成し、通信制御部４１１へ出力する。通信制御部４１１は、通信部４０３を通じて画像ＵＲＬページ１０７１を携帯端末６に送信する（ステップＳ３５Ｂ）。
【０２４０】
携帯端末６の通信制御部６１１は、通信部６０３を通じて、送信された画像ＵＲＬページ１０７１を受信する。携帯端末６の通信制御部６１１は、表示制御部６１３を通じて、表示部６０５に受信した画像ＵＲＬページ１０７１を表示させる（ステップＳ３６Ｂ）。
【０２４１】
上記の構成によれば、ユーザは、写真シール作成装置１にて撮影され作成された画像のうち、所望する画像を閲覧するためのリンク情報（画像特定情報）を携帯端末６にて選択すると、携帯端末６は、当該画像を受信して表示することができる。このとき、管理サーバ４は、当該画像の要求元のアドレスを取得できるので、当該画像がどのように拡散するかを把握することができる。また、ＵＲＬ１０７２（画像特定情報）を含む画像ＵＲＬページ１０７１が、別の携帯端末に送信されたとしても、当該画像を閲覧するには、ＵＲＬ１０７２が示す格納先に要求して、当該画像を受信する必要がある。このとき、管理サーバ４は、当該画像の要求元である別の携帯端末のアドレスを取得できるので、当該画像ＵＲＬページ１０７１がどのように拡散するかを把握することができる。
【０２４２】
また、上記の構成によれば、携帯端末６が、広告ページ１０６１を表示することにより、写真シール作成装置１にて作成された画像を保存できるので、該保存による対価を管理サーバ４のサービス提供者が取得することができる。
【０２４３】
〔変形例〕
上記実施形態における図１８に示す処理において、携帯端末６へ画像を保存しないように撮影画像管理システム１０は構成されていたが、携帯端末６へ画像を保存するように撮影画像管理システム１０を構成してもよい。具体的には図１８のステップＳ３５ＢおよびステップＳ３６Ｂに示す処理に替えて、図１６のステップＳ３１およびステップＳ３２に示す処理を行うように撮影画像管理システム１０を構成してもよい。
【０２４４】
また、上記実施形態では、写真シール作成装置１にて作成された画像の保存は、広告ページ１０６１を表示することによって可能としているが、ユーザが有料会員であること、上記有料会員のみに提供されるアプリを利用すること、写真シール作成装置１の使用毎にサービスポイントが発生し、該サービスポイントを利用することなどの所定の条件によって可能としてもよい。
【０２４５】
また、上記実施形態において、画像変形部４１７は、ユーザごとの体重の変化と特徴情報の変化との相関関係である個人特性情報を用いてもよい。個人特性情報は、具体的には、例えば、ユーザの体重の上限と下限の差異と、ユーザの体重が上限であった時点と下限であった時点の特徴情報の差異とから得られる。また、個人特性情報は、体重が属性情報として登録される際に、制御部４０１によって算出され、会員データベース４２２へ登録するように管理サーバ４を構成してもよい。
【０２４６】
一般的に、体重の増加に応じて目が細くなり、また、顔輪郭が若干丸くなる。また、体重の減少に応じて、目が丸くなり、頬が細くなり、あごが尖る。このような顔の部位の変化には個人差がある。上記の構成により、このようなユーザごとの個人差に応じた顔の部位の変化をより正確に予測することができる。
【０２４７】
また、アドバイス作成部４１６は、理想状態へ近づくためのアドバイスを作成する際に、個人特性情報に基づいて当該アドバイスの内容を決定してもよい。上記の構成によれば、ユーザごとの個人差に応じたアドバイスをユーザへ提示することができる。
【０２４８】
また、上記実施形態における図１８のステップＳ３２Ａに示す処理において、画像変形部４１７は、情報取得部４１９を介して、画像データベース４２４から、ログインを受け付けたユーザの個人特性情報を取得し、取得した個人特性情報に基づいて予測画像を作成してもよい。上記の構成によれば、ユーザの予測画像の精度を向上させることができる。
【０２４９】
また、上記各実施形態において、理想状態データベース４２５は、理想状態の特徴情報４２７として、ユーザが選択した画像に撮影されている人物の特徴情報を、ユーザごとに格納していてもよい。
【０２５０】
上記の構成によれば、ユーザが理想として選択した人物にどれだけ近いかを、ユーザは知ることができる。
【０２５１】
また、上記各実施形態において、アドバイス作成部４１６は、差異算出部４１８に人の部位ごとの理想状態の特徴情報とユーザの特徴情報との達成度を算出させ、算出された達成度をアドバイス１０５２に含めてもよい。例えば、アドバイス作成部４１６は、「目は○○％、口は○○％」等、部位ごとの達成度をアドバイスに含めてよい。ユーザは、アドバイスページ１０５１を閲覧することにより、理想状態とどの程度一致しているかを知ることができる。また、ユーザがこういう顔になりたいと思う人物（特定人物）を選択し、自分が撮影されている画像を選択した場合、ユーザは、アドバイスページ１０５１を閲覧することにより、自分がなりたい容姿にどの部位がどの程度一致しているかを知ることができる。
【０２５２】
また、上記の構成によれば、ユーザの撮影画像を、理想状態の人の画像に近づけることができる。また、上記の構成における撮影画像の変形は、該撮影画像におけるユーザの部位を移動させることにより行われるので、変形後の画像には、ユーザの面影が残ることになる。
【０２５３】
なお、ユーザの部位のうち、差分が最大値である部位を少なくとも移動させることが好ましい。また、部位の移動の量が調節できてもよい。この場合、部位ごとに調節できてもよいし、上記差分に対する割合で各部位を調節できてもよい。後者の場合、上記撮影画像のより自然な変形が可能となる。
【０２５４】
また、上記各実施形態において、複数の撮影人物が同一の人物の特徴情報を理想状態の特徴状態とした場合、当該複数の撮影人物の顔の特徴情報と、理想状態の特徴情報とをそれぞれ比較して、撮影人物の特徴情報と理想状態の特徴情報との近似度を当該複数の撮影人物についてそれぞれ算出するように管理サーバ４を構成してもよい。これにより、複数の撮影人物について理想状態とされている人物に似ているかを順位付けすることができる。また、理想状態とされている人物に似ているかの順位を、アドバイスページ１０５１などに表示するように管理サーバ４を構成してもよい。
【０２５５】
また、上記各実施形態において、アドバイス作成部４１６は、理想状態の特徴情報とユーザの特徴情報との差異が所定の値より少ない場合、すなわち変更示唆情報が示す属性情報の変更の値が小さい場合、ユーザの画像に大きな変形がされていない画像を予測画像１０５４として用いるように構成されていてもよい。
【０２５６】
また、画像変形部４１７は、理想状態の特徴情報とユーザの特徴情報との部位に、一致度が小さいほど、ユーザの画像に対する変形の程度を少なくしてもよい。
【０２５７】
また、画像変形部４１７は、画像変形部４１７が行う画像処理が複数の項目（所定の処理対象に対する所定の処理）から構成される場合、項目ごとに画像処理の程度を変えてもよい。例えば、ユーザがお気に入りの画像処理項目を登録している場合、画像変形部４１７は、画像処理に含まれる項目のうち、ユーザがお気に入りの項目については、他の項目に比べて、その画像処理の程度を強くしてもよい。
【０２５８】
また、上記各実施形態において、変更示唆情報が体重を減少させることであった場合、ウェブページ作成部４１３は、アドバイスページ１０５１に、痩身のシミュレーションをすることができる機能を加えてもよい。具体的には、例えば、アドバイスページ１０５１に、体重を入力するユーザインターフェースを加え、当該ユーザインターフェースに入力された体重に基づいて予測画像１０５６を変形することができるアドバイスページ１０５１をアドバイスページ１０５１は作成する。これにより、ユーザは、痩身のシミュレーションをすることができ、痩身後（ダイエット後）のユーザを見ることができる。
【０２５９】
また、ウェブページ作成部４１３は、アドバイスページ１０５１に、ユーザが記録した日々の体重、取得カロリー等のダイエット記録を掲載してもよい。また、ウェブページ作成部４１３は、アドバイスページ１０５１において、ダイエット記録に、ユーザの生成画像を関連付けて掲載してもよい。これにより、ユーザは、ダイエットの効果を容易に確認することができる。
【０２６０】
〔ソフトウェアによる実現例〕
写真シール作成装置１、管理サーバ４、および携帯端末６の制御ブロック（特に制御部２０１、制御部４０１および制御部６０１）は、集積回路（ＩＣチップ）等に形成された論理回路（ハードウェア）によって実現してもよいし、ＣＰＵ（Central Processing Unit）を用いてソフトウェアによって実現してもよい。
【０２６１】
後者の場合、写真シール作成装置１、管理サーバ４、および携帯端末６は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することによって、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークまたは放送波等）を介して上記コンピュータに供給されてもよい。なお、本発明は、上記プログラムが電子的な伝送によって具現化された、搬送波に埋め込まれたデータ信号の形態でも実現され得る。
【０２６２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２６３】
本発明は、写真シール作成装置において作成されたユーザの撮影画像を管理サーバに保存する撮影画像管理システムとして、幅広く利用することができる。
【符号の説明】
【０２６４】
１  写真シール作成装置（情報提供装置、撮影編集装置、画像分析システム）
４  管理サーバ（サーバ）
６  携帯端末（端末装置）
１０  撮影画像管理システム
１１  撮影ユニット
１２  編集部
１３  事後接客部
２１  撮影部
２０１、２０１Ａ  制御部
２０２、２０２Ａ  記憶部
３１１  通信制御部
３１２  撮影制御部
３１３  編集制御部
３１３Ａ  編集制御部（提示手段）
３１４  印刷制御部
３１５  事後接客制御部
３１６  見本画像取得部（取得手段）
３１７  編集ツール特定部（推定手段、特定手段）
４０１  制御部
４０２  記憶部
４０３  通信部
４１１  通信制御部
４１２  メール作成部
４１３  ウェブページ作成部（作成手段）
４１４  画像管理部（抽出手段）
４１５  理想状態管理部
４１６  アドバイス作成部
４１７  画像変形部（変形手段）
４１８  差異算出部（算出手段）
４１９  情報取得部（取得手段）
６０１  制御部
６０２  記憶部
６０３  通信部
６０４  入力部
６０５  表示部
６１１  通信制御部
６１２  入力制御部
６１３  表示制御部
【図１】
2015185878.tif 000003
【図２】
2015185878.tif 000004
【図３】
2015185878.tif 000005
【図４】
2015185878.tif 000006
【図５】
2015185878.tif 000007
【図６】
2015185878.tif 000008
【図７】
2015185878.tif 000009
【図８】
2015185878.tif 000010
【図９】
2015185878.tif 000011
【図１０】
2015185878.tif 000012
【図１１】
2015185878.tif 000013
【図１２】
2015185878.tif 000014
【図１３】
2015185878.tif 000015
【図１４】
2015185878.tif 000016
【図１５】
2015185878.tif 000017
【図１６】
2015185878.tif 000018
【図１７】
2015185878.tif 000019
【図１８】
2015185878.tif 000020
【図１９】
2015185878.tif 000021
【図２０】
2015185878.tif 000022
【図２１】
2015185878.tif 000023
【図２２】
2015185878.tif 000024